(57)【特許請求の範囲】
【請求項１】
スクリーン上の単一の領域に映像を表示する１画面モードと、前記スクリーン上の第１および第２の領域にそれぞれ映像を表示する２画面モードとを制御する表示制御装置であって、
ユーザの操作による第１の操作入力を受ける第１の操作入力部と、
前記１画面モードおよび前記２画面モードにおける映像の表示を制御する制御部とを備え、
前記制御部は、
画面モードが前記１画面モードである場合には、前記第１の操作入力部からの前記第１の操作入力に応答して、画面モードを前記２画面モードに変更し、前記１画面モードで表示されていた映像を前記第２の領域に表示するとともに前記第１の領域に新たな映像を表示し、前記第１の領域を操作可能な領域に設定し、
画面モードが前記２画面モードでありかつ前記第２の領域が操作可能な領域に設定されている場合に、前記第１の操作入力部からの前記第１の操作入力に応答して、操作可能な領域を前記第１の領域に変更し、
画面モードが前記２画面モードでありかつ前記第１の領域が操作可能な領域に設定されている場合に、前記第１の操作入力部からの前記第１の操作入力に応答して、前記第１の領域を拡大するとともに前記第２の領域を縮小し、
画面モードが前記２画面モードでありかつ前記第１の領域が前記２画面モードで最大の状態にある場合に、前記第１の操作入力部からの前記第１の操作入力に応答して、画面モードを前記１画面モードに変更し、前記第１の領域に表示されていた映像を前記単一の領域に表示する、表示制御装置。
【請求項２】
ユーザの操作による第２の操作入力を受ける第２の操作入力部をさらに備え、
前記制御部は、
画面モードが前記１画面モードである場合には、前記第２の操作入力部からの前記第２の操作入力に応答して、画面モードを前記２画面モードに変更し、前記１画面モードで表示されていた映像を前記第１の領域に表示するとともに前記第２の領域に新たな映像を表示し、前記第２の領域を操作可能な領域に設定し、
画面モードが前記２画面モードでありかつ前記第１の領域が操作可能な領域に設定されている場合に、前記第２の操作入力部からの前記第２の操作入力に応答して、操作可能な領域を前記第２の領域に変更し、
画面モードが前記２画面モードでありかつ前記第２の領域が操作可能な領域に設定されている場合に、前記第２の操作入力部からの前記第２の操作入力に応答して、前記第２の領域を拡大するとともに前記第１の領域を縮小し、
画面モードが前記２画面モードでありかつ前記第２の領域が前記２画面モードで最大の状態にある場合に、前記第２の操作入力部からの前記第２の操作入力に応答して、画面モードを前記１画面モードに変更し、前記第２の領域に表示されていた映像を前記単一の領域に表示する、請求項１記載の表示制御装置。
【請求項３】
前記１画面モードの前記単一の領域における所定の操作および前記２画面モードの前記第１および第２の領域のうち操作可能な領域における所定の操作のためにユーザにより用いられる他の操作入力部をさらに備え、
前記第１および第２の操作入力部は、前記他の操作入力部とは別個に設けられる、請求項２記載の表示制御装置。
【請求項４】
前記表示制御装置は、音声を出力する音声出力部をさらに制御するとともに、ユーザの操作による音声操作入力を受ける音声操作入力部をさらに備え、
前記制御部は、画面モードが前記２画面モードである場合に、前記音声操作入力部からの前記音声操作入力に応答して、操作可能な領域に表示されている映像に対応する音声を前記音声出力部から出力させる、請求項２記載の表示制御装置。
【請求項５】
前記表示制御装置は、音声を出力する音声出力部をさらに制御し、
前記制御部は、画面モードが前記２画面モードである場合に、操作可能な領域に表示されている映像に対応する音声を前記音声出力部から出力させる、請求項２記載の表示制御装置。
【請求項６】
前記表示制御装置は、音声を出力する音声出力部をさらに制御し、
前記制御部は、
画面モードが前記２画面モードでありかつ操作可能でない領域に表示されている映像に
対応する音声が前記音声出力部から出力されている場合に、前記第１または第２の操作入力部からの前記第１または第２の操作入力に応答して、操作可能な領域に表示されている映像に対応する音声を前記音声出力部から出力させ、
画面モードが前記２画面モードでありかつ操作可能な領域に表示されている映像に対応する音声が前記音声出力部から出力されている場合に、前記第１の操作入力部からの前記第１の操作入力に応答して、前記第１の領域を拡大するとともに前記第２の領域を縮小し、前記第２の操作入力部からの前記第２の操作入力に応答して、前記第２の領域を拡大するとともに前記第１の領域を縮小する、請求項２記載の表示制御装置。
【請求項７】
前記表示制御装置は、音声を出力する音声出力部をさらに制御し、
前記制御部は、
画面モードを前記２画面モードから前記１画面モードに変更した場合に、前記１画面モードに表示される映像に対応する音声を前記音声出力部から出力させる、請求項２記載の表示制御装置。
【請求項８】
スクリーン上の単一の領域に映像を表示する１画面モードと、前記スクリーン上の第１および第２の領域にそれぞれ映像を表示する２画面モードとを制御する表示制御方法であって、
画面モードが前記１画面モードである場合には、第１の操作入力部からの第１の操作入力に応答して、画面モードを前記２画面モードに変更し、前記１画面モードで表示されていた映像を前記第２の領域に表示するとともに前記第１の領域に新たな映像を表示し、前記第１の領域を操作可能な領域に設定するステップと、
画面モードが前記２画面モードでありかつ前記第２の領域が操作可能な領域に設定されている場合に、前記第１の操作入力部からの前記第１の操作入力に応答して、操作可能な領域を前記第１の領域に変更するステップと、
画面モードが前記２画面モードでありかつ前記第１の領域が操作可能な領域に設定されている場合に、前記第１の操作入力部からの前記第１の操作入力に応答して、前記第１の領域を拡大するとともに前記第２の領域を縮小するステップと、
画面モードが前記２画面モードでありかつ前記第１の領域が前記２画面モードで最大の状態にある場合に、前記第１の操作入力部からの前記第１の操作入力に応答して、画面モードを前記１画面モードに変更し、前記第１の領域に表示されていた映像を前記単一の領域に表示するステップとを備える、表示制御方法。
【請求項９】
画面モードが前記１画面モードである場合には、第２の操作入力部からの第２の操作入力に応答して、画面モードを前記２画面モードに変更し、前記１画面モードで表示されていた映像を前記第１の領域に表示するとともに前記第２の領域に新たな映像を表示し、前記第２の領域を操作可能な領域に設定するステップと、
画面モードが前記２画面モードでありかつ前記第１の領域が操作可能な領域に設定されている場合に、前記第２の操作入力部からの前記第２の操作入力に応答して、操作可能な領域を前記第２の領域に変更するステップと、
画面モードが前記２画面モードでありかつ前記第２の領域が操作可能な領域に設定されている場合に、前記第２の操作入力部からの前記第２の操作入力に応答して、前記第２の領域を拡大するとともに前記第１の領域を縮小するステップと、
画面モードが前記２画面モードでありかつ前記第２の領域が前記２画面モードで最大の状態にある場合に、前記第２の操作入力部からの前記第２の操作入力に応答して、画面モードを前記１画面モードに変更し、前記第２の領域に表示されていた映像を前記単一の領域に表示するステップとをさらに備える、請求項８記載の表示制御方法。
【請求項１０】
スクリーン上の単一の領域に映像を表示する１画面モードと、前記スクリーン上の第１および第２の領域にそれぞれ映像を表示する２画面モードとを制御する、コンピュータにより実行可能な表示制御プログラムであって、
画面モードが前記１画面モードである場合には、第１の操作入力部からの第１の操作入力に応答して、画面モードを前記２画面モードに変更し、前記１画面モードで表示されていた映像を前記第２の領域に表示するとともに前記第１の領域に新たな映像を表示し、前記第１の領域を操作可能な領域に設定する処理と、
画面モードが前記２画面モードでありかつ前記第２の領域が操作可能な領域に設定されている場合に、前記第１の操作入力部からの前記第１の操作入力に応答して、操作可能な領域を前記第１の領域に変更する処理と、
画面モードが前記２画面モードでありかつ前記第１の領域が操作可能な領域に設定されている場合に、前記第１の操作入力部からの前記第１の操作入力に応答して、前記第１の領域を拡大するとともに前記第２の領域を縮小する処理と、
画面モードが前記２画面モードでありかつ前記第１の領域が前記２画面モードで最大の状態にある場合に、前記第１の操作入力部からの前記第１の操作入力に応答して、画面モードを前記１画面モードに変更し、前記第１の領域に表示されていた映像を前記単一の領域に表示する処理とを、
前記コンピュータに実行させる、表示制御プログラム。
【発明の詳細な説明】
【技術分野】
【０００１】
本発明は、１画面モードおよび２画面モードにおける映像の表示を制御する表示制御装置、表示制御方法および表示制御プログラムに関する。
【背景技術】
【０００２】
近年、スクリーン上で分割された複数の領域に別々の映像を同時に表示する２画面表示と呼ばれる機能がテレビジョン受像機に搭載されている。この２画面表示の機能は、一人のユーザが同時に放送されている複数の番組の重要なシーンを見逃すことなく視聴したい場合、または複数のユーザが別々の番組を同時に視聴する場合などに用いられる。このような２画面表示の機能は、テレビジョン受像機の大画面化およびデジタル放送の多チャンネル化に伴ってますます有用になる。
【０００３】
特許文献１には、リモコンに設けられた“Ｐ  ｉｎ  Ｐ／Ｐ  ａｎｄ  Ｐ”キーを押すごとに、１画面表示および複数の２画面表示を順に切り換えることができるテレビジョン受像機が開示されている。このテレビジョン受像機では、“Ｐ  ｉｎ  Ｐ／Ｐ  ａｎｄ  Ｐ”キーを押すごとに１画面表示、ピクチャ・イン・ピクチャ（Ｐ  ｉｎ  Ｐ）表示およびピクチャ・アウト・ピクチャ（Ｐ  ｏｕｔ  Ｐ）表示がループ状に遷移する。１画面表示では、１つの番組の映像がスクリーンの全面（全画面）に表示される。ピクチャ・イン・ピクチャ（Ｐ  ｉｎ  Ｐ）表示では、全画面上に小画面で別の番組が表示される。ピクチャ・アウト・ピクチャ（Ｐ  ｏｕｔ  Ｐ）表示では、スクリーン上の左右に等分割された２つの領域（右画面および左画面）にそれぞれ別々の番組が表示される。なお、特許文献１では、ピクチャ・アウト・ピクチャを“Ｐ  ａｎｄ  Ｐ”と呼んでいる。
【０００４】
特許文献１のテレビジョン受像機では、２画面表示において、互いに異なるサイズの右画面および左画面を並べて表示することはできない。
【０００５】
一方、非特許文献１および２には、互いに異なるサイズの右画面および左画面を表示する２画面表示方法が記載されている。
【０００６】
非特許文献１には、リモコンに設けられた２画面ボタン、右ボタンおよび左ボタンを用いて１画面モードおよび２画面モードを切り換える方法が記載されている。
【０００７】
図１７は従来の２画面表示方法における画面の表示および音声の出力の状態遷移図である。図１７の２画面表示方法は非特許文献１に記載されている。
【０００８】
図１７には、１画面モードＭ０の状態および６種類の２画面モードＭ１０１〜Ｍ１０３，Ｍ１１１〜Ｍ１１３の状態が模式的に表される。
【０００９】
１画面モードＭ０では、全画面Ｓが表示され、２画面モードＭ１０１〜Ｍ１０３，Ｍ１１１〜Ｍ１１３では、右画面Ｒおよび左画面Ｌが同時に表示される。図１７には、全画面Ｓ、右画面Ｒおよび左画面Ｌの映像の図示が省略され、全画面Ｓ、右画面Ｒおよび左画面Ｌの矩形領域の枠のみが示される。また、図１７においては、操作画面の枠が太線で表される。
【００１０】
ここで、操作画面とは、各種操作が可能な画面をいう。例えば、右画面Ｒが操作画面である場合には、ユーザはリモコンを用いて右画面Ｒ上で各種機能の設定、各種データの入力、各種指令の入力等の各種操作を行うことができる。また、左画面Ｌが操作画面である場合には、ユーザはリモコンを用いて左画面Ｌ上で上記の操作を行うことができる。
【００１１】
また、図１７の各画面内に描かれた音符のマークは、その画面に表示される映像に付随する音声がスピーカから出力されていることを表している。
【００１２】
さらに、図１７では、リモコンの操作により引き起こされる状態間の遷移を矢印で表している。太い黒矢印は、リモコンの右ボタンが押下されたときの遷移を表し、太い白矢印はリモコンの左ボタンが押下されたときの遷移を表す。また、細い矢印はリモコンの２画面ボタンが押下されたときの遷移を表している。
【００１３】
図１７に示すように、２画面モードでリモコンの右ボタンまたは左ボタンが押下されると、右画面または左画面のサイズの比率が変更され、右画面および左画面に対応する音声のうちスピーカから出力される音声が切り換えられる。この場合、操作画面に対応する音声がスピーカから出力される。
【００１４】
また、右ボタンが押下されると、操作画面が右画面Ｒに移動する。既に操作画面が右画面Ｒに設定されている状態で右ボタンが押下されると、操作画面は移動せずに右画面Ｒが拡大され、左画面Ｌが縮小される。左ボタンが押下されると、操作画面が左画面Ｌに移動する。既に操作画面が左画面Ｌに設定されている状態で左画面Ｌが押下されると、操作画面は移動せずに左画面Ｌが拡大され、右画面Ｒが縮小される。
【００１５】
また、２画面ボタンが押下されるごとに１画面モードと２画面モードとがトグルで切り換えられる。
【００１６】
非特許文献２には、リモコンに設けられた２画面ボタン、左右入換ボタン、右画面操作ボタンおよび画面モードボタンを用いて１画面モードおよび２画面モードを切り換える方法が記載されている。
【００１７】
２画面ボタンが押下されるごとに１画面モードと２画面モードとがトグルで切り換えられる。
【００１８】
また、２画面モードでは、画面モードボタンが押下されるごとに、ピクチャ・イン・ピクチャ表示およびピクチャ・アウト・ピクチャ表示が順に切り換えられる。ピクチャ・アウト・ピクチャ表示では、右画面と左画面とが同じサイズを有する状態と左画面が右画面より大きい状態との間での切り換えも行われる。
【００１９】
さらに、２画面モードで左右入換ボタンが押下されると、右画面および左画面のレイアウトは変化せずに右画面で表示される番組と左画面で表示される番組とが入れ換えられる。左画面に対応する音声がスピーカから出力されるので、左右入換ボタンを押下することにより音声を出力する番組を入れ換えることができる。
【００２０】
右画面操作ボタンが押下されるごとに、右画面操作モードのオンおよびオフがトグルで切り換えられる。右画面操作モードがオンしている場合には、音量の調整および選局の変更の操作は右画面上で行われる。一方、右画面操作モードがオフしている場合には、音量の調整および選局の変更は左画面上で行われる。
【特許文献１】特開平８−１１１８２８号公報
【非特許文献１】Ｓｏｎｙ：デジタルテレビ取扱説明書（設置・接続編）ＫＤＬ−Ｌ２６ＨＶＸ／ＫＤＬ−Ｌ３２ＨＶＸ／ＫＤＬ−Ｌ４０ＨＶＸ
【非特許文献２】Ｐａｎａｓｏｎｉｃ：地上・ＢＳ・１１０度ＣＳデジタルハイビジョンプラズマテレビ取扱説明書（テレビ編）  ＴＨ−５０ＰＸ５００／ＴＨ−４２ＰＸ５００／ＴＨ−３７ＰＸ５００
【発明の開示】
【発明が解決しようとする課題】
【００２１】
しかしながら、非特許文献１の２画面表示方法では、ユーザは、１画面モードと２画面モードとを切り換える場合、２画面モードにおける左画面および右画面のサイズを変更する場合、および操作画面を切り換える場合に、リモコンに設けられた２画面ボタン、右ボタンおよび左ボタンを操作する必要がある。
【００２２】
そのため、１画面モードと２画面モードとの切り換え、２画面モードにおける左画面および右画面のサイズの変更ならびに操作画面の切り換えと、２画面ボタン、右ボタンおよび左ボタンの操作との関係を記憶しなければならない。そのため、ユーザは、操作方法を習熟するまでに時間がかかる。
【００２３】
また、２画面モードにおいては、右ボタンおよび左ボタンを別の操作に使用することができない。
【００２４】
左右の移動を必要とするＧＵＩ（Graphical User Interface）は、右ボタンおよび左ボタンを用いて操作される。例えば、階層メニューでの各種設定は、右ボタンおよび左ボタンを用いて行われる。しかしながら、２画面モードにおいては、右画面および左画面のサイズの変更ならびに操作画面の切り換えに右ボタンおよび左ボタンを用いるため、右ボタンおよび左ボタンを用いた別の操作を行うことができない。
【００２５】
また、データ放送の番組を視聴する際には、右ボタンおよび左ボタンを用いて画面の遷移が行われる。デジタルテレビ放送を視聴中に、ある時間になると、データ放送の画面が自動的に起動することがある。このような場合、ユーザはデータ放送の画面を操作するために、その都度２画面ボタンを押すことにより２画面モードを１画面モードに変更する必要があり、非常に煩雑である。
【００２６】
このように、２画面モードにおいては、右ボタンおよび左ボタンを用いる種々の操作が制限される。
【００２７】
一方、非特許文献２の２画面表示方法では、ユーザは１画面モードと２画面モードとを切り換える場合、２画面モードにおける右画面および左画面のサイズを変更する場合、および右操作モードのオンおよびオフを切り換える場合に、リモコンに設けられた２画面ボタン、左右入換ボタン、右画面操作ボタンおよび画面モードボタンを操作する必要がある。
【００２８】
このように、リモコンに多数のボタンが設けられているので、設計者はさらに他の機能を操作するためのボタンをリモコンに追加することが困難になる。一方、ユーザは多数のボタンを操作する必要があるため、所望のボタンを見つけるために時間がかかる。また、ボタンの操作が複雑であるため、操作方法の習熟にさらに時間がかかる。
【００２９】
また、画面モードボタンは、１画面モードにおいては画面のアスペクト比の変更およびサイドカットを行うために用いられ、２画面モードにおいてはピクチャ・イン・ピクチャ表示およびピクチャ・アウト・ピクチャ表示の切り換えに用いられる。そのため、２画面モードにおいては、画面モードボタンを用いてアスペクト比の変更およびサイドカットの切り換えを行うことができない。したがって、ユーザには操作方法がわかりにくい。
【００３０】
本発明の目的は、ユーザが１画面モードおよび２画面モードにおける操作を容易に行うことができるとともに、操作方法を短時間で習熟することが可能な表示制御装置、表示制御方法および表示制御プログラムを提供することである。
【００３１】
本発明の他の目的は、ユーザが１画面モードおよび２画面モードにおける操作方法を短時間で習熟することが可能でかつ２画面モードにおいて別の操作が制限されない表示制御装置、表示制御方法および表示制御プログラムを提供することである。
【課題を解決するための手段】
【００３２】
（１）
本発明の一局面に従う表示制御装置は、スクリーン上の単一の領域に映像を表示する１画面モードと、スクリーン上の第１および第２の領域にそれぞれ映像を表示する２画面モードとを制御する表示制御装置であって、ユーザの操作による第１の操作入力を受ける第１の操作入力部と、１画面モードおよび２画面モードにおける映像の表示を制御する制御部とを備え、制御部は、画面モードが１画面モードである場合には、第１の操作入力部からの第１の操作入力に応答して、画面モードを２画面モードに変更し、１画面モードで表示されていた映像を第２の領域に表示するとともに第１の領域に新たな映像を表示し、第１の領域を操作可能な領域に設定し、画面モードが２画面モードでありかつ第２の領域が操作可能な領域に設定されている場合に、第１の操作入力部からの第１の操作入力に応答して、操作可能な領域を第１の領域に変更し、画面モードが２画面モードでありかつ第１の領域が操作可能な領域に設定されている場合に、第１の操作入力部からの第１の操作入力に応答して、第１の領域を拡大するとともに第２の領域を縮小し、画面モードが２画面モードでありかつ第１の領域が２画面モードで最大の状態にある場合に、第１の操作入力部からの第１の操作入力に応答して、画面モードを１画面モードに変更し、第１の領域に表示されていた映像を単一の領域に表示する。
【００３３】
この表示制御装置においては、画面モードが１画面モードである場合には、ユーザによる第１の操作入力部からの第１の操作入力に応答して、画面モードが２画面モードに変更され、１画面モードで表示されていた映像が第２の領域に表示されるとともに第１の領域に新たな映像が表示され、第１の領域が操作可能な領域に設定される。また、画面モードが２画面モードでありかつ第２の領域が操作可能な領域に設定されている場合に、ユーザによる第１の操作入力部からの第１の操作入力に応答して、操作可能な領域が第１の領域に変更される。さらに、画面モードが２画面モードでありかつ第１の領域が操作可能な領域に設定されている場合に、ユーザによる第１の操作入力部からの第１の操作入力に応答して、第１の領域が拡大されるとともに第２の領域が縮小される。また、画面モードが２画面モードでありかつ第１の領域が２画面モードで最大の状態にある場合に、ユーザによる第１の操作入力部からの第１の操作入力に応答して、画面モードが１画面モードに変更され、第１の領域に表示されていた映像が単一の領域に表示される。
【００３４】
このように、第１の操作入力部を追加するだけで画面モードの変更、第２の領域から第１の領域への操作可能な領域の変更、および第１の領域の拡大を容易な操作により行うことができる。したがって、ユーザは第１の操作入力部の操作により１画面モードおよび２画面モードにおける操作を容易に行うことができるとともに、操作方法を短時間で習熟することができる。
【００３５】
（２）
表示制御装置は、ユーザの操作による第２の操作入力を受ける第２の操作入力部をさらに備え、制御部は、画面モードが１画面モードである場合には、第２の操作入力部からの第２の操作入力に応答して、画面モードを２画面モードに変更し、１画面モードで表示されていた映像を第１の領域に表示するとともに第２の領域に新たな映像を表示し、第２の領域を操作可能な領域に設定し、画面モードが２画面モードでありかつ第１の領域が操作可能な領域に設定されている場合に、第２の操作入力部からの第２の操作入力に応答して、操作可能な領域を第２の領域に変更し、画面モードが２画面モードでありかつ第２の領域が操作可能な領域に設定されている場合に、第２の操作入力部からの第２の操作入力に応答して、第２の領域を拡大するとともに第１の領域を縮小し、画面モードが２画面モードでありかつ第２の領域が２画面モードで最大の状態にある場合に、第２の操作入力部からの第２の操作入力に応答して、画面モードを１画面モードに変更し、第２の領域に表示されていた映像を単一の領域に表示してもよい。
【００３６】
この場合、画面モードが１画面モードである場合には、ユーザによる第２の操作入力部からの第２の操作入力に応答して、画面モードが２画面モードに変更され、１画面モードで表示されていた映像が第１の領域に表示されるとともに第２の領域に新たな映像が表示され、第２の領域が操作可能な領域に設定される。また、画面モードが２画面モードでありかつ第１の領域が操作可能な領域に設定されている場合に、ユーザによる第２の操作入力部からの第２の操作入力に応答して、操作可能な領域が第２の領域に変更される。さらに、画面モードが２画面モードでありかつ第２の領域が操作可能な領域に設定されている場合に、ユーザによる第２の操作入力部からの第２の操作入力に応答して、第２の領域が拡大されるとともに第１の領域が縮小される。また、画面モードが２画面モードでありかつ第２の領域が２画面モードで最大の状態にある場合に、ユーザによる第２の操作入力部からの第２の操作入力に応答して、画面モードが１画面モードに変更され、第２の領域に表示されていた映像が単一の領域に表示される。
【００３７】
このように、第２の操作入力部を追加するだけで画面モードの変更、第１の領域から第２の領域への操作可能な領域の変更、および第２の領域の拡大を容易な操作により行うことができる。
【００３８】
また、第１および第２の操作入力部による操作方法および表示の変更が互いに対称となる。さらに、第１および第２の操作入力部による操作の差異がなく、かつ第１および第２の操作入力部の操作が互いに制約されない。
【００３９】
したがって、ユーザは第１および第２の操作入力部の操作により１画面モードおよび２画面モードにおける操作を容易に行うことができるとともに、操作方法を短時間で習熟することができる。また、ユーザは、操作に迷いが生じず、誤操作も生じにくい。
【００４０】
（３）
表示制御装置は、１画面モードの単一の領域における所定の操作および２画面モードの第１および第２の領域のうち操作可能な領域における所定の操作のためにユーザにより用いられる他の操作入力部をさらに備え、第１および第２の操作入力部は、他の操作入力部とは別個に設けられてもよい。
【００４１】
この場合、第１および第２の操作入力部が他の操作入力部とは別個に設けられるので、２画面モードにおいて他の操作入力部による別の操作が制限されない。
【００４２】
（４）
表示制御装置は、音声を出力する音声出力部をさらに制御するとともに、ユーザの操作による音声操作入力を受ける音声操作入力部をさらに備え、制御部は、画面モードが２画面モードである場合に、音声操作入力部からの音声操作入力に応答して、操作可能な領域に表示されている映像に対応する音声を音声出力部から出力させてもよい。
【００４３】
この場合、音声操作入力部の操作により、操作可能な領域に表示されている映像に対応する音声が出力されるので、誤操作が生じない。
【００４４】
また、音声出力の切り換え操作を第１および第２の操作入力部とは独立した音声操作入力部により行うことができるので、映像の表示の操作により意図せずに音声出力が切り換わることが防止される。したがって、一のユーザが映像の表示を操作した場合に、他のユーザが視聴している映像に対応する音声が意図せずに出力されなくなることが防止される。
【００４５】
（５）
音声操作入力部は、スクリーン上に表示される映像に対応する音声の音量を増加させるために操作される音量操作入力部であってもよい。
【００４６】
この場合、音量操作入力部が音声操作入力部を兼ねているので、音声操作入力部を別途追加する必要がない。設計者は容易に他の機能のための操作入力部を追加することができる。
【００４７】
また、ユーザは使い慣れた音量操作入力部により音声出力を切り換えることができるので、音声出力の切り換え操作が容易であり、誤操作が生じない。
【００４８】
（６）
制御部は、音声操作入力部からの音声操作入力に応答して、音声出力部から出力される音量を操作可能な領域内または操作可能でない領域よりも操作可能な領域に近い位置に表示してもよい。
【００４９】
この場合、ユーザは、第１および第２の領域のうち操作可能な領域を容易に認識することができる。
【００５０】
（７）
表示制御装置は、音声を出力する音声出力部をさらに制御し、制御部は、画面モードが２画面モードである場合に、操作可能な領域に表示されている映像に対応する音声を音声出力部から出力させてもよい。
【００５１】
この場合、ユーザが音声に関する操作を行うことなく、操作可能な領域に表示されている映像に対応する音声が自動的に出力される。それにより、ユーザの負担が軽減される。
【００５２】
また、ユーザは操作可能な領域の映像に注目する。したがって、注目する映像に対応する音声が出力されることにより、ユーザは違和感なく自然に２画面モードでの視聴を行うことができる。
【００５３】
（８）
表示制御装置は、音声を出力する音声出力部をさらに制御し、制御部は、画面モードが２画面モードでありかつ操作可能でない領域に表示されている映像に対応する音声が音声出力部から出力されている場合に、第１または第２の操作入力部からの第１または第２の操作入力に応答して、操作可能な領域に表示されている映像に対応する音声を音声出力部から出力させ、画面モードが２画面モードでありかつ操作可能な領域に表示されている映像に対応する音声が音声出力部から出力されている場合に、第１の操作入力部からの第１の操作入力に応答して、第１の領域を拡大するとともに第２の領域を縮小し、第２の操作入力部からの第２の操作入力に応答して、第２の領域を拡大するとともに第１の領域を縮小してもよい。
【００５４】
この場合、画面モードが２画面モードでありかつ操作可能でない領域に表示されている映像に対応する音声が音声出力部から出力されている場合に、ユーザによる第１または第２の操作入力部からの第１または第２の操作入力に応答して、操作可能な領域に表示されている映像に対応する音声が音声出力部から出力される。また、画面モードが２画面モードでありかつ操作可能な領域に表示されている映像に対応する音声が音声出力部から出力されている場合に、ユーザによる第１の操作入力部からの第１の操作入力に応答して、第１の領域が拡大されるとともに第２の領域が縮小され、第２の操作入力部からの第２の操作入力に応答して、第２の領域が拡大されるとともに第１の領域が縮小される。
【００５５】
このように、ユーザは音声出力の切り換えとは独立に操作可能な領域の変更を行うことができる。また、ユーザが第１または第２の操作入力部を２回操作することにより操作可能な領域に対応する音声を出力させることができる。通常、ユーザは操作可能な領域の映像に注目する。したがって、注目する映像に対応する音声が出力されることにより、ユーザは違和感なく自然に２画面モードでの視聴を行うことができる。
【００５６】
（９）
表示制御装置は、音声を出力する音声出力部をさらに制御し、制御部は、画面モードを２画面モードから１画面モードに変更した場合に、１画面モードに表示される映像に対応する音声を音声出力部から出力させてもよい。
【００５７】
この場合、１画面モードで表示される映像と音声とが確実に対応する。
【００５８】
（１０）
本発明の他の局面に従う表示制御装置は、スクリーン上の単一の領域に映像を表示する１画面モードと、スクリーン上の第１および第２の領域にそれぞれ映像を表示する２画面モードとを制御する表示制御装置であって、ユーザの操作による第１の操作入力を受ける第１の操作入力部と、ユーザの操作による画面モード操作入力を受ける画面モード操作入力部と、１画面モードおよび２画面モードにおいて所定の操作に用いられる他の操作入力部と、１画面モードおよび２画面モードにおける映像の表示を制御する制御部とを備え、制御部は、画面モードが１画面モードである場合には、画面モード操作入力部からの画面モード操作入力に応答して、画面モードを２画面モードに変更し、画面モードが２画面モードである場合には、画面モード操作入力部からの画面モード操作入力に応答して、画面モードを１画面モードに変更し、画面モードが２画面モードでありかつ第２の領域が操作可能な領域に設定されている場合に、第１の操作入力部からの第１の操作入力に応答して、操作可能な領域を第１の領域に変更し、画面モードが２画面モードでありかつ第１の領域が操作可能な領域に設定されている場合に、第１の操作入力部からの第１の操作入力に応答して、第１の領域を拡大するとともに第２の領域を縮小する。
【００５９】
この表示制御装置においては、画面モードが１画面モードである場合には、ユーザによる画面モード操作入力部からの画面モード操作入力に応答して、画面モードが２画面モードに変更される。また、画面モードが２画面モードである場合には、ユーザによる画面モード操作入力部からの画面モード操作入力に応答して、画面モードが１画面モードに変更される。さらに、画面モードが２画面モードでありかつ第２の領域が操作可能な領域に設定されている場合に、ユーザによる第１の操作入力部からの第１の操作入力に応答して、操作可能な領域が第１の領域に変更される。また、画面モードが２画面モードでありかつ第１の領域が操作可能な領域に設定されている場合に、ユーザによる第１の操作入力部からの第１の操作入力に応答して、第１の領域が拡大されるとともに第２の領域が縮小される。
【００６０】
このように、第１の操作入力部および画面モード操作入力部を追加するだけで画面モードの変更、第２の領域から第１の領域への操作可能な領域の変更、および第１の領域の拡大を容易な操作により行うことができる。したがって、ユーザは第１の操作入力部および画面モード操作入力部の操作により１画面モードおよび２画面モードにおける操作を容易に行うことができるとともに、操作方法を短時間で習熟することができる。
【００６１】
また、第１の操作入力部および画面モード操作入力部が他の操作入力部とは別個に設けられる。したがって、２画面モードにおいて他の操作入力部の別の操作が制限されない。
【００６２】
（１１）
表示制御装置は、ユーザの操作による第２の操作入力を受ける第２の操作入力部をさらに備え、制御部は、画面モードが２画面モードでありかつ第１の領域が操作可能な領域に設定されている場合に、第２の操作入力部からの第２の操作入力に応答して、操作可能な領域を第２の領域に変更し、画面モードが２画面モードでありかつ第２の領域が操作可能な領域に設定されている場合に、第２の操作入力部からの第２の操作入力に応答して、第２の領域を拡大するとともに第１の領域を縮小してもよい。
【００６３】
この場合、画面モードが２画面モードでありかつ第１の領域が操作可能な領域に設定されている場合に、ユーザによる第２の操作入力部からの第２の操作入力に応答して、操作可能な領域が第２の領域に変更される。また、画面モードが２画面モードでありかつ第２の領域が操作可能な領域に設定されている場合に、ユーザによる第２の操作入力部からの第２の操作入力に応答して、第２の領域が拡大されるとともに第１の領域が縮小される。
【００６４】
このように、第２の操作入力部を追加するだけで画面モードの変更、第１の領域から第２の領域への操作可能な領域の変更、および第２の領域の拡大を容易な操作により行うことができる。
【００６５】
また、第１および第２の操作入力部による操作方法および表示の変更が互いに対称となる。さらに、第１および第２の操作入力部による操作の差異がなく、かつ第１および第２の操作入力部の操作が互いに制約されない。
【００６６】
したがって、ユーザは第１および第２の操作入力部および画面モード操作入力部の操作により１画面モードおよび２画面モードにおける操作を容易に行うことができるとともに、操作方法を短時間で習熟することができる。また、ユーザは、操作に迷いが生じず、誤操作も生じにくい。
【００６７】
また、第１および第２の操作入力部および画面モード操作入力部が他の操作入力部とは別個に設けられる。したがって、２画面モードにおいて他の操作入力部の別の操作が制限されない。
【００６８】
（１２）
表示制御装置は、音声を出力する音声出力部をさらに制御するとともに、ユーザの操作による音声操作入力を受ける音声操作入力部をさらに備え、制御部は、画面モードが２画面モードである場合に、音声操作入力部からの音声操作入力に応答して、操作可能な領域に表示されている映像に対応する音声を音声出力部から出力させてもよい。
【００６９】
この場合、音声操作入力部の操作により、操作可能な領域に表示されている映像に対応する音声が出力されるので、誤操作が生じない。
【００７０】
また、音声出力の切り換え操作を第１および第２の操作入力部とは独立した音声操作入力部により行うことができるので、映像の表示の操作により意図せずに音声出力が切り換わることが防止される。したがって、一のユーザが映像の表示を操作した場合に、他のユーザが視聴している映像に対応する音声が意図せずに出力されなくなることが防止される。
【００７１】
（１３）
音声操作入力部は、スクリーン上に表示される映像に対応する音声の音量を増加させるために操作される音量操作入力部であってもよい。
【００７２】
この場合、音量操作入力部が音声操作入力部を兼ねているので、音声操作入力部を別途追加する必要がない。設計者は容易に他の機能のための操作入力部を追加することができる。
【００７３】
また、ユーザは使い慣れた音量操作入力部により音声出力を切り換えることができるので、音声出力の切り換え操作が容易であり、誤操作が生じない。
【００７４】
（１４）
制御部は、音声操作入力部からの音声操作入力に応答して、音声出力部から出力される音量を操作可能な領域内または操作可能でない領域よりも操作可能な領域に近い位置に表示してもよい。
【００７５】
この場合、ユーザは、第１および第２の領域のうち操作可能な領域を容易に認識することができる。
【００７６】
（１５）
本発明のさらに他の局面に従う表示制御方法は、スクリーン上の単一の領域に映像を表示する１画面モードと、スクリーン上の第１および第２の領域にそれぞれ映像を表示する２画面モードとを制御する表示制御方法であって、画面モードが１画面モードである場合には、第１の操作入力部からの第１の操作入力に応答して、画面モードを２画面モードに変更し、１画面モードで表示されていた映像を第２の領域に表示するとともに第１の領域に新たな映像を表示し、第１の領域を操作可能な領域に設定するステップと、画面モードが２画面モードでありかつ第２の領域が操作可能な領域に設定されている場合に、第１の操作入力部からの第１の操作入力に応答して、操作可能な領域を第１の領域に変更するステップと、画面モードが２画面モードでありかつ第１の領域が操作可能な領域に設定されている場合に、第１の操作入力部からの第１の操作入力に応答して、第１の領域を拡大するとともに第２の領域を縮小するステップと、画面モードが２画面モードでありかつ第１の領域が２画面モードで最大の状態にある場合に、第１の操作入力部からの第１の操作入力に応答して、画面モードを１画面モードに変更し、第１の領域に表示されていた映像を単一の領域に表示するステップとを備える。
【００７７】
（１６）
表示制御方法は、画面モードが１画面モードである場合には、第２の操作入力部からの第２の操作入力に応答して、画面モードを２画面モードに変更し、１画面モードで表示されていた映像を第１の領域に表示するとともに第２の領域に新たな映像を表示し、第２の領域を操作可能な領域に設定するステップと、画面モードが２画面モードでありかつ第１の領域が操作可能な領域に設定されている場合に、第２の操作入力部からの第２の操作入力に応答して、操作可能な領域を第２の領域に変更するステップと、画面モードが２画面モードでありかつ第２の領域が操作可能な領域に設定されている場合に、第２の操作入力部からの第２の操作入力に応答して、第２の領域を拡大するとともに第１の領域を縮小するステップと、画面モードが２画面モードでありかつ第２の領域が２画面モードで最大の状態にある場合に、第２の操作入力部からの第２の操作入力に応答して、画面モードを１画面モードに変更し、第２の領域に表示されていた映像を単一の領域に表示するステップとをさらに備えてもよい。
【００７８】
（１７）
本発明のさらに他の局面に従う表示制御方法は、スクリーン上の単一の領域に映像を表示する１画面モードと、スクリーン上の第１および第２の領域にそれぞれ映像を表示する２画面モードとを制御する表示制御方法であって、画面モードが１画面モードである場合には、画面モード操作入力部からの画面モード操作入力に応答して、画面モードを２画面モードに変更するステップと、画面モードが２画面モードである場合には、画面モード操作入力部からの画面モード操作入力に応答して、画面モードを１画面モードに変更するステップと、画面モードが２画面モードでありかつ第２の領域が操作可能な領域に設定されている場合に、第１の操作入力部からの第１の操作入力に応答して、操作可能な領域を第１の領域に変更するステップと、画面モードが２画面モードでありかつ第１の領域が操作可能な領域に設定されている場合に、第１の操作入力部からの第１の操作入力に応答して、第１の領域を拡大するとともに第２の領域を縮小するステップとを備える。
【００７９】
（１８）
表示制御方法は、画面モードが２画面モードでありかつ第１の領域が操作可能な領域に設定されている場合に、第２の操作入力部からの第２の操作入力に応答して、操作可能な領域を第２の領域に変更するステップと、画面モードが２画面モードでありかつ第２の領域が操作可能な領域に設定されている場合に、第２の操作入力部からの第２の操作入力に応答して、第２の領域を拡大するとともに第１の領域を縮小するステップとをさらに備えてもよい。
【００８０】
（１９）
本発明のさらに他の局面に従う表示制御プログラムは、スクリーン上の単一の領域に映像を表示する１画面モードと、スクリーン上の第１および第２の領域にそれぞれ映像を表示する２画面モードとを制御する、コンピュータにより実行可能な表示制御プログラムであって、画面モードが１画面モードである場合には、第１の操作入力部からの第１の操作入力に応答して、画面モードを２画面モードに変更し、１画面モードで表示されていた映像を第２の領域に表示するとともに第１の領域に新たな映像を表示し、第１の領域を操作可能な領域に設定する処理と、画面モードが２画面モードでありかつ第２の領域が操作可能な領域に設定されている場合に、第１の操作入力部からの第１の操作入力に応答して、操作可能な領域を第１の領域に変更する処理と、画面モードが２画面モードでありかつ第１の領域が操作可能な領域に設定されている場合に、第１の操作入力部からの第１の操作入力に応答して、第１の領域を拡大するとともに第２の領域を縮小する処理と、画面モードが２画面モードでありかつ第１の領域が２画面モードで最大の状態にある場合に、第１の操作入力部からの第１の操作入力に応答して、画面モードを１画面モードに変更し、第１の領域に表示されていた映像を単一の領域に表示する処理とを、コンピュータに実行させる。
【００８１】
（２０）
表示制御プログラムは、画面モードが１画面モードである場合には、第２の操作入力部からの第２の操作入力に応答して、画面モードを２画面モードに変更し、１画面モードで表示されていた映像を第１の領域に表示するとともに第２の領域に新たな映像を表示し、第２の領域を操作可能な領域に設定する処理と、画面モードが２画面モードでありかつ第１の領域が操作可能な領域に設定されている場合に、第２の操作入力部からの第２の操作入力に応答して、操作可能な領域を第２の領域に変更する処理と、画面モードが２画面モードでありかつ第２の領域が操作可能な領域に設定されている場合に、第２の操作入力部からの第２の操作入力に応答して、第２の領域を拡大するとともに第１の領域を縮小する処理と、画面モードが２画面モードでありかつ第２の領域が２画面モードで最大の状態にある場合に、第２の操作入力部からの第２の操作入力に応答して、画面モードを１画面モードに変更し、第２の領域に表示されていた映像を単一の領域に表示する処理とを、コンピュータにさらに実行させてもよい。
【００８２】
（２１）
本発明のさらに他の局面に従う表示制御プログラムは、スクリーン上の単一の領域に映像を表示する１画面モードと、スクリーン上の第１および第２の領域にそれぞれ映像を表示する２画面モードとを制御する、コンピュータにより実行可能な表示制御プログラムであって、画面モードが１画面モードである場合には、画面モード操作入力部からの画面モード操作入力に応答して、画面モードを２画面モードに変更する処理と、画面モードが２画面モードである場合には、画面モード操作入力部からの画面モード操作入力に応答して、画面モードを１画面モードに変更する処理と、画面モードが２画面モードでありかつ第２の領域が操作可能な領域に設定されている場合に、第１の操作入力部からの第１の操作入力に応答して、操作可能な領域を第１の領域に変更する処理と、画面モードが２画面モードでありかつ第１の領域が操作可能な領域に設定されている場合に、第１の操作入力部からの第１の操作入力に応答して、第１の領域を拡大するとともに第２の領域を縮小する処理とを、コンピュータに実行させる。
【００８３】
（２２）
表示制御プログラムは、画面モードが２画面モードでありかつ第１の領域が操作可能な領域に設定されている場合に、第２の操作入力部からの第２の操作入力に応答して、操作可能な領域を第２の領域に変更する処理と、画面モードが２画面モードでありかつ第２の領域が操作可能な領域に設定されている場合に、第２の操作入力部からの第２の操作入力に応答して、第２の領域を拡大するとともに第１の領域を縮小する処理とを、コンピュータにさらに実行させてもよい。
【発明の効果】
【００８４】
本発明によれば、ユーザが１画面モードおよび２画面モードにおける操作を容易に行うことができるとともに、操作方法を短時間で習熟することが可能である。
【００８５】
また、ユーザが１画面モードおよび２画面モードにおける操作方法を短時間で習熟することが可能でかつ２画面モードにおいて別の操作が制限されない。 
【発明を実施するための最良の形態】
【００８６】
以下、本発明の実施の形態を図面を参照しながら説明する。複数の図において、同一の構成要素または同一の処理には同一の符号を付与し、重複する説明を省略する。また、同一種類の複数の構成要素が同一の図に現れる場合には、符号の末尾にアルファベット１文字を付与することによりそれぞれの構成要素を区別する。
【００８７】
（１）第１の実施の形態
（１−１）映像表示装置の構成
図１は本発明の第１の実施の形態に係る映像表示装置の構成を示すブロック図である。
【００８８】
図１において、映像表示装置１００は、受信アンテナ１０１、受信部１０２ａ，１０２ｂ、映像合成部１０３、表示部１０４、音声選択部１０５、スピーカ１０６、入力部１０７および画面遷移制御部１０８を備える。映像合成部１０３、音声選択部１０５、入力部１０７および画面遷移制御部１０８が表示制御装置を構成する。
【００８９】
本実施の形態に係る映像表示装置１００は、１画面モードおよび２画面モードを有する。１画面モードでは、表示部１０４のスクリーン上の全体にわたる単一の矩形領域に映像が表示される。２画面モードでは、表示部１０４のスクリーン上の右側および左側に配置される２つの矩形領域にそれぞれ映像が表示される。
【００９０】
受信アンテナ１０１は、映像信号および音声信号を含む放送電波を受信し、受信した放送電波を電気信号に変換して出力する。受信アンテナ１０１は、例えば各家庭の屋根に設置されているテレビアンテナである。あるいは、番組がワイヤレスＬＡＮ（ローカルエリアネットワーク）でワイヤレス伝送される場合には、受信アンテナ１０１はワイヤレスＬＡＮ用のアンテナである。
【００９１】
なお、番組がブロードバンド通信により伝送される場合には、受信アンテナ１０１の代わりにブロードバンドルータに接続されるケーブルが用いられる。また、番組がＤＶＤ（デジタルバーサタイルディスク）等のパッケージメディアを用いて配布される場合には、映像表示装置１００が受信アンテナ１０１を有しなくてもよい。
【００９２】
受信部１０２ａは、受信アンテナ１０１から出力される電気信号に含まれる映像信号および音声信号をデコードし、映像信号および音声信号を映像合成部１０３および音声選択部１０５に与える。
【００９３】
電気信号がデジタル放送の放送信号である場合、受信部１０２ａは、デジタル放送テレビ用のチューナモジュールおよびＭＰＥＧ（Moving Picture Experts Group）映像・音声デコーダにより構成される。チューナモジュールは、放送信号の選局および復調を行う。ＭＰＥＧ映像・音声デコーダは、復調された放送信号をデコードして映像信号および音声信号を抽出する。
【００９４】
また、電気信号がブロードバンド通信を経由して伝送される通信パケットである場合には、受信部１０２ａは、通信プロトコルスタックおよび映像・音声デコーダにより構成される。
【００９５】
なお、受信部１０２ａからＭＰＥＧ方式等に従って圧縮された映像ビットストリームおよび音声ビットストリームが出力される場合には、映像合成部１０３の後段に圧縮された映像ビットストリームをデコードするための映像デコーダが設けられ、音声選択部１０５の後段に音声ビットストリームをデコードするための音声デコーダが設けられてもよい。
【００９６】
受信部１０２ｂは、受信部１０２ａと同じ構成を有する。あるいは、受信部１０２ａと受信部１０２ｂとが異なる構成を有してもよい。例えば、受信部１０２ａがデジタル放送の放送信号を受信する構成を有し、受信部１０２ｂがブロードバンド通信を経由して伝送される通信パケットを受信する構成を有してもよい。
【００９７】
映像合成部１０３は、後述する画面遷移制御部１０８の指示に従って、受信部１０２ａから出力される映像信号および受信部１０２ｂから出力される映像信号を１つの映像信号に合成し、合成した映像信号を表示部１０４に出力する。
【００９８】
また、映像合成部１０３は、映像信号の合成と同時にグラフィックス描画を行うことによりＧＵＩ（Graphical User Interface）を実現するＯＳＤ（On Screen Display）の機能を有してもよい。
【００９９】
映像合成部１０３は、映像信号の合成の際に、受信部１０２ａ，１０２ｂから出力される映像信号に基づく映像の大きさをそれぞれ変更（スケーリング）するとともに、各映像を合成される映像の所定の座標位置にマッピングする。
【０１００】
音声選択部１０５は、後述する画面遷移制御部１０８の指示に従って、受信部１０２ａ，１０２ｂから出力される音声信号のいずれか一方を選択し、選択した音声信号をスピーカ１０６に出力する。
【０１０１】
表示部１０４は、映像合成部１０３から出力される映像信号を物理現象である光に変換することによりスクリーンに映像として表示する。表示部１０４は、テレビジョン受像機に用いられるプラズマディスプレイパネル、液晶ディスプレイパネル、またはＣＲＴ（陰極線管）等からなる。
【０１０２】
スピーカ１０６は、音声選択部１０５から出力される音声信号を物理現象である音波に変換し、音声として出力する。
【０１０３】
画面遷移制御部１０８は、映像表示装置１００の全体を制御および管理する。本実施の形態では、画面遷移制御部１０８は、ＣＰＵ（中央演算処理装置）および記録媒体からなるコンピュータである。記録媒体は、例えば半導体メモリまたはメモリカード等である。
【０１０４】
記録媒体には、後述する表示制御プログラムが記録される。ＣＰＵは記録媒体に記録された表示制御プログラムに従って受信部１０２ａ，１０２ｂ、映像合成部１０３および音声選択部１０５を制御する。
【０１０５】
特に、画面遷移制御部１０８は、画面モードを制御するために映像合成部１０３に指示を与える。１画面モードおよび２画面モードにおける画面レイアウトは、スクリーンに表示される映像の大きさおよび座標位置により指定される。この場合、画面遷移制御部１０８は、映像合成部１０３に１画面モードおよび２画面モードにおける映像の大きさおよび座標位置をパラメータを用いて直接映像合成部１０３に指示してもよい。あるいは、画面遷移制御部１０８は、例えば「１画面モード」、「２画面モード（ａ）」、「２画面モード（ｂ）」および「２画面モード（ｃ）」のように各画面モードの画面レイアウトに名称を付与し、その名称により映像合成部１０３に画面レイアウトを指示してもよい。
【０１０６】
また、画面遷移制御部１０８は、受信部１０２ａ，１０２ｂの選択を制御する。具体的には、画面遷移制御部１０８は、受信部１０２ａ，１０２ｂの一方から出力される映像信号に基づく映像を表示すること、受信部１０２ａ，１０２ｂの両方から出力される映像信号に基づく映像を表示すること、または受信部１０２ａ，１０２ｂの両方から出力される映像信号に基づく映像を表示しないことを選択することができる。
【０１０７】
さらに、画面遷移制御部１０８は、音声出力の切り換えを音声選択部１０５に指示する。
【０１０８】
入力部１０７は、表示部１０４のスクリーン上に表示されたＧＵＩに対する操作を操作情報（操作入力）として受け付ける。
【０１０９】
本実施の形態では、入力部１０７は、リモコンおよび受光部により構成される。リモコンは、操作情報を赤外線信号として受光部に送信する。受光部は、映像表示装置１００の本体部に設けられる。この受光部は、リモコンからの赤外線信号を受け、操作情報を画面遷移制御部１０８に与える。なお、映像表示装置１００の本体部は、受信部１０２ａ，１０２ｂ、映像合成部１０３、表示部１０４、音声選択部１０５およびスピーカ１０６を含む。
【０１１０】
入力部１０７は、映像合成部１０３の本体部に設けられるハードウェアボタンまたは表示部１０４のスクリーンに張られたタッチパネルにより構成されてもよい。
【０１１１】
また、入力部１０７は、マイクおよび音声認識装置により構成されてもよい。この場合、ユーザの音声がマイクにより操作情報として取得され、音声認識装置によりマイクから出力される音声信号に基づいて操作情報が認識される。
【０１１２】
さらに、入力部１０７は、カメラおよび映像処理装置により構成されてもよい。この場合、ユーザの体の動き（ジェスチャー動作）がカメラにより操作情報として撮像され、カメラから出力される映像信号が映像処理装置において処理されることにより操作情報が認識される。
【０１１３】
（１−２）リモコンの一例
図２は図１の入力部１０７に含まれるリモコンの一例を示す模式図である。
【０１１４】
図２に示すように、リモコン１０７ａには、電源ボタンＰＷ、消音ボタンＭＢ、音量プラスボタンＳＰ、音量プラスマイナスボタンＳＭ、右ボタンＡＲ、左ボタンＡＬ、上ボタンＡＵ、下ボタンＡＤ、右画面プラスボタンＢＲ、左画面プラスボタンＢＬ、左右入換ボタンＲＬ、および画面モードボタンＰＢ等が設けられる。
【０１１５】
音量プラスボタンＳＰは、スピーカ１０６から出力される音量を増加させるためにユーザにより操作される。音量マイナスボタンＳＭは、スピーカ１０６から出力される音量を減少させるためにユーザにより操作される。
【０１１６】
右画面プラスボタンＢＲおよび左画面プラスボタンＢＬは、１画面モードおよび２画面モードにおける表示を切り換えるためにユーザにより操作される。右画面プラスボタンＢＲは右側に配置され、左画面プラスボタンＢＬは左側に配置される。本例の右画面プラスボタンＢＲには右画面Ｒが拡大することがわかるように「右画面＋」と表示され、左画面プラスボタンＢＬには左画面Ｌが拡大することがわかるように「左画面＋」と表示されている。
【０１１７】
以下の説明では、必要に応じて右画面プラスボタンＢＲおよび左画面プラスボタンＢＬを画面操作ボタンと総称する。
【０１１８】
（１−３）画面操作ボタンの他の例
図３は図１の入力部１０７に含まれるリモコン１０７ａに設けられる右画面プラスボタンＢＲおよび左画面プラスボタンＢＬの他の例を示す模式図である。
【０１１９】
図３では、リモコン１０７ａの右画面プラスボタンＢＲおよび左画面プラスボタンＢＬのみが図示される。
【０１２０】
図３（ａ）の例では、右画面プラスボタンＢＲには大きな右の矩形および小さな左の矩形が表示され、左画面プラスボタンＢＬには大きな左の矩形および小さな右の矩形が表示されている。大きな矩形には「＋」が表示されている。
【０１２１】
図３（ｂ）の例では、右画面プラスボタンＢＲには大きな右の矩形および小さな左の矩形が表示され、左画面プラスボタンＢＬには大きな左の矩形および小さな右の矩形が表示されている。大きな矩形には異なる色が付されている。
【０１２２】
図３（ｃ）の例では、右画面プラスボタンＢＲには右向きの三角印が表示され、左画面プラスボタンＢＬには左向きの三角印が表示されている。
【０１２３】
なお、右画面プラスボタンＢＲおよび左画面プラスボタンＢＬの形状およびデザインは上記の例に限定されない。
【０１２４】
（１−４）画面モードの説明
１画面モードでは、受信部１０２ａ，１０２ｂの一方から出力される映像信号に基づいて表示部１０４のスクリーン上の全体にわたる単一の矩形領域に映像が表示される。２画面モードでは、受信部１０２ａ，１０２ｂの一方から出力される映像信号に基づいて表示部１０４のスクリーン上の右側に配置される矩形領域に映像が表示され、受信部１０２ａ，１０２ｂの他方から出力される映像信号に基づいて表示部１０４のスクリーン上の左側に配置される矩形領域に映像が表示される。
【０１２５】
１画面モードにおいて、スクリーン上の全体にわたる単一の矩形領域に表示される映像を全画面と呼ぶ。また、２画面モードにおいて、スクリーン上で左右に隣接する２つの矩形領域のうち、右側の矩形領域に表示される映像を右画面と呼び、左側の矩形領域に表示される映像を左画面と呼ぶ。また、全画面、右画面および左画面を総称して画面と呼ぶ。また、右画面プラスボタンＢＲおよび左画面プラスボタンＢＬを画面操作ボタンと総称する。
【０１２６】
また、左画面Ｌの映像に付随する音声を左画面Ｌに対応する音声と称し、右画面Ｒの映像に付随する音声を右画面Ｒに対応する音声と称する。
【０１２７】
図４は本発明の第１の実施の形態における画面の表示および音声の出力の状態遷移図である。
【０１２８】
図４には、２種類の１画面モードＭ１，Ｍ２の状態および１２種類の２画面モードＭ１１〜Ｍ１３，Ｍ２１〜Ｍ２３，Ｍ３１〜Ｍ３３，Ｍ４１〜Ｍ４３の状態が模式的に表される。
【０１２９】
１画面モードＭ１，Ｍ２では、全画面Ｓが表示され、２画面モードＭ１１〜Ｍ１３，Ｍ２１〜Ｍ２３，Ｍ３１〜Ｍ３３，Ｍ４１〜Ｍ４３では、右画面Ｒおよび左画面Ｌが同時に表示される。図４には、全画面Ｓ、右画面Ｒおよび左画面Ｌの映像の図示が省略され、全画面Ｓ、右画面Ｒおよび左画面Ｌの矩形領域の枠のみが示される。また、図４においては、フォーカスを有する右画面Ｒまたは左画面Ｌの枠が太線で表される。
【０１３０】
ここで、フォーカスとは、画面上で各種操作が可能な状態をいう。例えば、右画面Ｒにフォーカスがある場合には、ユーザは入力部１０７を用いて右画面Ｒ上で各種機能の設定、各種データの入力、各種指令の入力等の各種操作を行うことができる。また、左画面Ｌにフォーカスがある場合には、ユーザは入力部１０７を用いて左画面Ｌ上で上記の操作を行うことができる。
【０１３１】
ユーザにフォーカスがある画面を認識させるために、フォーカスを有する画面の枠を矩形線で表示してもよく、フォーカスを有する画面にアイコンまたは文言等を表示してもよい。フォーカスを有する画面を特定する方法はこれらの方法に限定されない。
【０１３２】
また、図４の各画面内に描かれた音符のマークは、その画面に対応する音声がスピーカ１０６から出力されていることを表している。実際に、表示部１０４のスクリーン上の画面内または画面近傍に音符のマーク、音波のマーク、スピーカの図形等のアイコン等を表示してもよい。
【０１３３】
さらに、図４では、入力部１０７の操作により引き起こされる状態間の遷移を矢印で表している。太い黒矢印は、入力部１０７の右画面プラスボタンＢＲが押下されたときの遷移を表し、太い白矢印は入力部１０７の左画面プラスボタンＢＬが押下されたときの遷移を表す。また、点線の矢印は入力部１０７の音量プラスボタンＳＰが押下されたときの遷移を表している。
【０１３４】
１画面モードＭ１では、全画面Ｓに映像が表示される。１画面モードＭ１で右画面プラスボタンＢＲが押下されると、画面モードが２画面モードＭ１１に移行する。この場合、スクリーン上の左側に全画面Ｓよりも縮小された左画面Ｌが配置され、全画面Ｓの映像が縮小されて左画面Ｌに表示される。また、スクリーン上の右側の空いたスペースに新たな映像を含む小さな右画面Ｒが配置される。それにより、スクリーン上に同時に複数の映像が表示される。
【０１３５】
２画面モードＭ１１で右画面プラスボタンＢＲが押下されると、画面モードが画面モードＭ１２に移行する。２画面モードＭ１２で右画面プラスボタンＢＲが押下されると、画面モードが画面モードＭ１３に移行する。このように、右画面プラスボタンＢＲが押下されるごとに、画面モードが２画面モードＭ１１，Ｍ１２，Ｍ１３の順に変化する。この場合、左画面Ｌが段階的に縮小され、右画面Ｒが段階的に拡大される。２画面モードＭ１３では、右画面Ｒが最大サイズを有し、左画面Ｌが最小サイズを有する。
【０１３６】
２画面モードＭ１３で右画面プラスボタンＢＲが押下されると、画面モードが１画面モードＭ２に移行する。１画面モードＭ２では、２画面モードＭ１３の右画面Ｒの映像が拡大されて全画面Ｓに表示される。
【０１３７】
逆に、１画面モードＭ２で左画面プラスボタンＢＬが押下されると、画面モードが２画面モードＭ２３に移行する。この場合、スクリーン上の右側に全画面Ｓよりも縮小された右画面Ｒが配置され、全画面Ｓの映像が縮小されて右画面Ｒに表示される。また、スクリーン上の左側の空いたスペースに新たな映像を含む小さな左画面Ｌが配置される。それにより、スクリーン上に同時に複数の映像が表示される。
【０１３８】
２画面モードＭ２３で左画面プラスボタンＢＬが押下されると、画面モードが画面モードＭ２２に移行する。２画面モードＭ２２で左画面プラスボタンＢＬが押下されると、画面モードが画面モードＭ２１に移行する。このように、左画面プラスボタンＢＬが押下されるごとに、画面モードが２画面モードＭ２３，Ｍ２２，Ｍ２１の順に変化する。この場合、左画面Ｌが段階的に拡大され、右画面Ｒが段階的に縮小される。２画面モードＭ２１では、左画面Ｌが最大サイズを有し、右画面Ｒが最小サイズを有する。
【０１３９】
２画面モードＭ２１で左画面プラスボタンＢＬが押下されると、画面モードが１画面モードＭ１に移行する。１画面モードＭ１では、２画面モードＭ２１の左画面Ｌの映像が拡大されて全画面Ｓに表示される。
【０１４０】
右画面プラスボタンＢＲが押下された直後の２画面モードＭ１１〜Ｍ１３において、右画面Ｒにフォーカスが存在する。ユーザは、右画面Ｒにフォーカスが存在するときに右画面プラスボタンＢＲを押下することにより段階的に右画面Ｒを拡大するとともに段階的に左画面Ｌを縮小することができる。
【０１４１】
逆に、左画面プラスボタンＢＬが押下された直後の画面モードＭ２３〜Ｍ２１において、左画面Ｌにフォーカスが存在する。ユーザは、左画面Ｌにフォーカスが存在するときに左画面プラスボタンＢＬを押下することにより段階的に左画面Ｌを拡大するとともに段階的に右画面Ｒを縮小することができる。
【０１４２】
また、右画面Ｒがフォーカスを有する２画面モードＭ１１〜Ｍ１３で左画面プラスボタンＢＬが押下されると、画面モードがそれぞれ２画面モードＭ２１〜Ｍ２３に移行する。それにより、フォーカスが左画面Ｌに移動する。
【０１４３】
逆に、左画面Ｌがフォーカスを有する２画面モードＭ２１〜Ｍ２３で右画面プラスボタンＢＲが押下されると、画面モードがそれぞれ２画面モードＭ１１〜Ｍ１３に移行する。それにより、フォーカスが右画面Ｒに移動する。
【０１４４】
２画面モードＭ１１〜Ｍ１３では、左画面Ｌに対応する音声がスピーカ１０６から出力される。２画面モードＭ１１〜Ｍ１３で音量プラスボタンＳＰが押下されると、画面モードがそれぞれ２画面モードＭ３１〜Ｍ３３に移行する。２画面モードＭ３１〜Ｍ３３では、右画面Ｒに対応する音声がスピーカ１０６から出力される。
【０１４５】
なお、消音ボタンＭＢにより音声選択部１０５がミュート状態に設定されている場合には、右画面Ｒに対応する音声が音量０で出力される。すなわち、右画面Ｒに対応する音声信号が選択状態になるが、スピーカ１０６から音声は出力されない。
【０１４６】
２画面モードＭ３１〜Ｍ３３においては、右画面Ｒにフォーカスが存在する。右画面プラスボタンＢＲが押下されるごとに、画面モードが２画面モードＭ３１，Ｍ３２，Ｍ３３の順に変化する。この場合、右画面Ｒが段階的に拡大され、左画面Ｌが段階的に縮小される。２画面モードＭ３３では、右画面Ｒが最大サイズを有し、左画面Ｌが最小サイズを有する。２画面モードＭ３３で右画面プラスボタンＢＲが押下されると、画面モードが１画面モードＭ２に移行する。
【０１４７】
また、右画面Ｒがフォーカスを有する２画面モードＭ３１〜Ｍ３３で左画面プラスボタンＢＬが押下されると、画面モードがそれぞれ２画面モードＭ４１〜Ｍ４３に移行する。
【０１４８】
２画面モードＭ４１〜Ｍ４３においては、左画面Ｌにフォーカスが存在する。左画面プラスボタンＢＬが押下されるごとに、画面モードが２画面モードＭ４３，Ｍ４２，Ｍ４１の順に変化する。この場合、左画面Ｌが段階的に拡大され、右画面Ｒが段階的に縮小される。２画面モードＭ４１では、左画面Ｌが最大サイズを有し、右画面Ｒが最小サイズを有する。２画面モードＭ４１で左画面プラスボタンＢＬが押下されると、画面モードが１画面モードＭ１に移行する。
【０１４９】
２画面モードＭ４１〜Ｍ４３では、右画面Ｒに対応する音声がスピーカ１０６から出力される。２画面モードＭ４１〜Ｍ４３で音量プラスボタンＳＰが押下されると、画面モードがそれぞれ２画面モードＭ２１〜Ｍ２３に移行する。２画面モードＭ２１〜Ｍ２３では、左画面Ｌに対応する音声がスピーカ１０６から出力される。
【０１５０】
なお、消音ボタンＭＢにより音声選択部１０５がミュート状態に設定されている場合には、左画面Ｌに対応する音声が音量０で出力される。すなわち、左画面Ｌに対応する音声信号が選択状態になるが、スピーカ１０６から音声は出力されない。
【０１５１】
上記のように、本実施の形態では、右画面プラスボタンＢＲが押下された直後の全ての２画面モードＭ１１〜Ｍ１３，Ｍ３１〜Ｍ３３において、右画面Ｒにフォーカスが設定される。ユーザは、右画面Ｒにフォーカスが存在するときに右画面プラスボタンＢＲを押下することにより段階的に右画面Ｒを拡大するとともに段階的に左画面Ｌを縮小することができる。
【０１５２】
逆に、左画面プラスボタンＢＬが押下された直後の全ての２画面モードＭ２１〜Ｍ２３，Ｍ４１〜Ｍ４３において、左画面Ｌにフォーカスが設定される。ユーザは、左画面Ｌにフォーカスが存在するときに左画面プラスボタンＢＬを押下することにより段階的に左画面Ｌを拡大するとともに段階的に右画面Ｒを縮小することができる。
【０１５３】
また、フォーカスが設定された画面（左画面Ｌまたは右画面Ｒ）の位置と、押下された画面操作ボタン（右画面プラスボタンＢＲまたは左画面プラスボタンＢＬ）の位置とが対応していない場合には、右画面Ｒおよび左画面Ｌのサイズは変化せずに、押下された画面操作ボタンに対応する画面にフォーカスが移動する。
【０１５４】
さらに、右画面Ｒにフォーカスが存在するときに音量プラスボタンＳＰが押下されると、右画面Ｒに対応する音声がスピーカ１０６から出力される。逆に、左画面Ｌにフォーカスが存在するときに音量プラスボタンＳＰが押下されると、左画面Ｌに対応する音声がスピーカ１０６から出力される。
【０１５５】
このように、右画面Ｒおよび左画面Ｌのサイズの変更の操作と音声出力の切り替えの操作とは完全に独立している。
【０１５６】
（１−５）表示制御処理
図５は本発明の第１の実施の形態における画面遷移制御部１０８の表示制御処理を示すフローチャート図である。
【０１５７】
図５の表示制御処理は、画面遷移制御部１０８のＣＰＵが記録媒体に記録される表示制御プログラムに従って受信部１０２ａ，１０２ｂ、映像合成部１０３および音声選択部１０５を制御することにより実行される。
【０１５８】
なお、図５のフローチャートにおいては、本発明に直接関係しない処理については記述を省略している。実際には、例えば電源のオンおよびオフ、選局および番組表の表示のような入力部１０７の操作に基づく処理がステップＳ２からステップＳ１へ戻るまでに行われる。
【０１５９】
ステップＳ１，Ｓ２は１画面モードでの処理であり、ステップＳ１ａ，Ｓ２ａ，Ｓ４，Ｓ５，Ｓ６，Ｓ８，Ｓ９，Ｓ１０は２画面モードでの処理であり、ステップＳ３，Ｓ７は１画面モードと２画面モードとの間で遷移する過渡的状態の処理である。
【０１６０】
以下の説明では、２画面モードの右画面Ｒおよび左画面Ｌを区別しない場合には、右画面Ｒおよび左画面Ｌの各々を画面と称する。また、右画面プラスボタンＢＲおよび左画面プラスボタンＢＬを区別しない場合には、右画面プラスボタンＢＲおよび左画面プラスボタンＢＬの各々を画面操作ボタンと称する。
【０１６１】
初期状態では、画面モードは１画面モードに設定されている。ユーザが入力部１０７を操作すると、画面遷移制御部１０８は、入力部１０７からユーザの操作の内容を示す操作情報（操作入力）を受け取る（ステップＳ１）。
【０１６２】
画面遷移制御部１０８は、操作情報に基づいてユーザにより画面操作ボタンが操作されたか否かを判別する（ステップＳ２）。
【０１６３】
ユーザにより画面操作ボタンが操作された場合には、画面遷移制御部１０８は、スクリーン上でその画面操作ボタンと同じ側に小さい画面を追加し、画面モードを２画面モードに移行させる（ステップＳ３）。
【０１６４】
具体的には、ユーザが右画面プラスボタンＢＲを押下した場合には、画面遷移制御部１０８の指示に基づいて、映像合成部１０３が全画面Ｓに表示されていた映像を縮小してスクリーン上の左側に左画面Ｌとして表示するとともに、左画面Ｌの右側のスペースに新たな映像を含む小さな右画面Ｒを追加する。同時に、映像合成部１０３は、フォーカスを右画面Ｒに設定する。
【０１６５】
また、ユーザが左画面プラスボタンＢＬを押下した場合には、画面遷移制御部１０８の指示に基づいて、映像合成部１０３が全画面Ｓに表示されていた映像を縮小してスクリーン上の右側に右画面Ｒとして表示するとともに、右画面Ｒの左側のスペースに新たな映像を含む小さい左画面Ｌを追加する。同時に、映像合成部１０３は、フォーカスを左画面Ｌに設定する。
【０１６６】
ステップＳ２においてユーザにより画面操作ボタンが操作されない場合には、画面遷移制御部１０８は、他の処理を行った後、ステップＳ１の処理に戻る。
【０１６７】
次に、ユーザが入力部１０７を操作すると、画面遷移制御部１０８は、入力部１０７からユーザの操作の内容を示す操作情報（操作入力）を受け取る（ステップＳ１ａ）。
【０１６８】
画面遷移制御部１０８は、操作情報に基づいてユーザにより画面操作ボタンが操作されたか否かを判別する（ステップＳ２ａ）。
【０１６９】
ユーザにより画面操作ボタンが操作された場合には、画面遷移制御部１０８は、操作された画面操作ボタンとフォーカスを有する画面とが同じ側にあるか否かを判別する（ステップＳ４）。
【０１７０】
操作された画面操作ボタンとフォーカスを有する画面とが反対側にある場合には、画面遷移制御部１０８は、操作された画面操作ボタンと同じ側の画面にフォーカスを移動させる（ステップＳ５）。
【０１７１】
具体的には、フォーカスが左画面Ｌに存在しかつユーザが右画面プラスボタンＢＲを押下した場合には、画面遷移制御部１０８の指示に基づいて、映像合成部１０３がフォーカスを右画面Ｒに移動させる。また、フォーカスが右画面Ｒに存在しかつユーザが左画面プラスボタンＢＬを押下した場合には、画面遷移制御部１０８の指示に基づいて、映像合成部１０３がフォーカスを左画面Ｌに移動させる。これにより、押下された画面操作ボタンの側とフォーカスを有する画面の側とが一致する。その後、画面遷移制御部１０８は、ステップＳ１ａの処理に戻る。
【０１７２】
ステップＳ４において操作された画面操作ボタンとフォーカスを有する画面とが同じ側にある場合には、画面遷移制御部１０８は、フォーカスを有する画面が最大サイズを有するか否かを判別する（ステップＳ６）。
【０１７３】
フォーカスを有する画面が最大サイズを有する場合には、画面遷移制御部１０８は、画面モードを１画面モードに移行させる（ステップＳ７）。
【０１７４】
具体的には、最大サイズを有する右画面Ｒにフォーカスが存在する場合には、画面遷移制御部１０８の指示に基づいて、映像合成部１０３が右画面Ｒの映像を全画面Ｓに表示する１画面モードに移行する。
【０１７５】
また、最大サイズを有する左画面Ｌにフォーカスが存在する場合には、画面遷移制御部１０８の指示に基づいて、映像合成部１０３が左画面Ｌの映像を全画面Ｓに表示する１画面モードに移行する。その後、画面遷移制御部１０８は、ステップＳ１ａの処理に戻る。
【０１７６】
ステップＳ６においてフォーカスを有する画面が最大サイズよりも小さい場合には、画面遷移制御部１０８は、フォーカスを有する画面を１段階拡大する（ステップＳ８）。同時に、画面遷移制御部１０８は、フォーカスを有しない画面を１段階縮小する。
【０１７７】
具体的には、右画面Ｒにフォーカスが存在する場合には、画面遷移制御部１０８の指示に基づいて、映像合成部１０３が右画面Ｒを１段階拡大し、左画面Ｌを１段階縮小する。また、左画面Ｌにフォーカスが存在する場合には、画面遷移制御部１０８の指示に基づいて、映像合成部１０３が左画面Ｌを１段階拡大し、右画面Ｒを１段階縮小する。その後、画面遷移制御部１０８は、ステップＳ１ａの処理に戻る。
【０１７８】
ステップＳ２ａにおいてユーザにより画面操作ボタンが操作されていない場合には、画面遷移制御部１０８は、ユーザにより音量プラスボタンＳＰが操作されたか否かを判別する（ステップＳ９）。
【０１７９】
ユーザにより音量プラスボタンＳＰが操作された場合には、画面遷移制御部１０８は、フォーカスを有する画面に対応する音声をスピーカ１０６から出力させる（ステップＳ１０）。
【０１８０】
具体的には、右画面Ｒにフォーカスが存在する場合には、画面遷移制御部１０８の指示に基づいて、音声選択部１０５が右画面Ｒに対応する音声をスピーカ１０６から出力させる。また、左画面Ｌにフォーカスが存在する場合には、画面遷移制御部１０８の指示に基づいて、音声選択部１０５が左画面Ｌに対応する音声をスピーカ１０６から出力させる。その後、画面遷移制御部１０８は、ステップＳ１ａの処理に戻る。
【０１８１】
また、ステップＳ９においてユーザにより音量プラスボタンＳＰが操作されていない場合には、画面遷移制御部１０８は、ステップＳ１ａの処理に戻る。
【０１８２】
なお、ステップＳ１０において、スピーカ１０６から出力される音声を切り換えると同時に、後述する方法でどちらの画面に対応する音声がスピーカ１０６から出力されているかをスクリーン上に表示してもよい。
【０１８３】
図６は画面上の音量表示の例を示す図である。図６に示すように、２画面モードでは、スクリーンＳＣの左側に左画面Ｌが表示され、右側に右画面Ｒが表示される。
【０１８４】
右画面Ｒに対応する音声がスピーカ１０６から出力されているときには、図６（ａ）に示すように、右画面Ｒ上に現在の音量を示すバーグラフＶＯＬが表示される。左画面Ｌに対応する音声がスピーカ１０６から出力されているときには、図６（ｂ）に示すように、左画面Ｌ上に現在の音量を示すバーグラフＶＯＬが表示される。
【０１８５】
それにより、ユーザは、右画面Ｒおよび左画面Ｌのどちらの音声が出力されているかをバーグラフＶＯＬにより視覚的に認識することができる。
【０１８６】
また、ユーザが図２のリモコン１０７ａの消音ボタンＭＢを押下することにより、音声をミュート状態にすることができる。この場合には、スクリーンの右画面Ｒまたは左画面Ｌにミュート状態を示すミュートマークＭＴが表示される。ミュート状態においては、スピーカ１０６から音声は出力されないが、右画面Ｒに対応する音声信号および左画面Ｌに対応する音声信号のどちらが選択されているかを示すためにミュートマークＭＵが右画面Ｒまたは左画面Ｌに表示される。
【０１８７】
右画面Ｒに対応する音声が選択されている場合には、図６（ｃ）に示すように、右画面Ｒ上にミュートマークＭＵが表示される。この場合、消音ボタンＭＢによりミュート状態を解除すると、右画面Ｒに対応する音声がスピーカ１０６から出力される。左画面Ｌに対応する音声が選択されている場合には、左画面Ｌ上にミュートマークＭＵが表示される。この場合、消音ボタンＭＢによりミュート状態を解除すると、左画面Ｌに対応する音声がスピーカ１０６から出力される。
【０１８８】
それにより、ユーザは、右画面Ｒおよび左画面Ｌのどちらの音声がミュート状態になっているかをミュートマークＭＵにより視覚的に認識することができる。
【０１８９】
（１−６）第１の実施の形態の効果
上記のように、本実施の形態においては、１画面モードと２画面モードとの切り換え、右画面Ｒおよび左画面Ｌのサイズの変更およびフォーカスの移動を右画面プラスボタンＢＲおよび左画面プラスボタンＢＬにより行うことができる。したがって、操作方法が容易であり、操作を短期で習熟することができる。
【０１９０】
また、音声出力の切り換えは音量プラスボタンＳＰを用いて行われるので、２画面モードにおいて右画面Ｒまたは左画面Ｌのサイズを変更する操作を行った場合に、スピーカ１０６から出力される音声が意図せずに切り換わることが防止される。
【０１９１】
さらに、ユーザが音量プラスボタンＳＰを押下するという慣れた操作を行うことにより、フォーカスを有する画面に対応する音声が出力される。また、フォーカスを有しない画面に対応する音声が出力されている場合に、ユーザが音量プラスボタンＳＰを押下することにより、フォーカスを有する画面に対応する音声が出力される。したがって、ユーザは、音声出力の切り換えの操作を短期で習熟することができる。
【０１９２】
また、右画面Ｒおよび左画面Ｌの操作方法および表示の変化が互いに対称であるので、ユーザにとってわかりやすい。
【０１９３】
さらに、右画面Ｒおよび左画面Ｌのサイズの変更、フォーカスの移動および音声出力の切り換えに右ボタンＡＲ、左ボタンＡＬおよび画面モードボタンＰＢが用いられない。したがって、２画面モードにおいては、右ボタンＡＲ、左ボタンＡＬおよび画面モードボタンＰＢを用いる種々の操作が制限されない。
【０１９４】
例えば、２画面モードにおいて右ボタンＡＲおよび左ボタンＡＬを用いて階層メニューでの各種設定およびデータ放送の画面の操作を行うことができる。また、２画面モードにおいて画面モードボタンＰＢを用いて画面のアスペクト比の変更およびサイドカットの切り換えを行うことができる。
【０１９５】
さらに、リモコン１０７ａに右画面プラスボタンＢＲおよび左画面プラスボタンＢＬが追加されるだけで２画面モードでの表示の制御を行うことができる。また、既存の音量プラスボタンＳＰにより２画面モードでの音声出力の切り換えを行うことができる。したがって、設計者はさらに他の機能を操作するためのボタンを容易にリモコン１０７ａに追加することができる。
【０１９６】
（２）第２の実施の形態
以下、本発明の第２の実施の形態に係る映像表示装置について説明する。本実施の形態に係る映像表示装置の構成は、図１に示した映像表示装置１００の構成と同様である。また、入力部１０７のリモコン１０７ａの構成は図２に示したリモコン１０７ａの構成と同様である。
【０１９７】
（２−１）画面モードの説明
第２の実施の形態では、２画面モードにおける画面の遷移は第１の実施の形態と同様であるが、音声出力の切り換え方法が第１の実施の形態と異なる。第２の実施の形態では、右画面プラスボタンＢＲまたは左画面プラスボタンＢＬにより右画面Ｒまたは左画面Ｌのサイズを変化させたときに拡大された画面に対応する音声が出力される。
【０１９８】
図７は本発明の第２の実施の形態における画面の表示および音声の出力の状態遷移図である。
【０１９９】
左画面Ｌに対応する音声が出力される２画面モードＭ１１，Ｍ１２において右画面プラスボタンＢＲが押下されると、画面モードが２画面モードＭ３２，Ｍ３３にそれぞれ移行する。それにより、右画面Ｒが拡大するとともに右画面Ｒに対応する音声がスピーカ１０６から出力される。
【０２００】
また、右画面Ｒに対応する音声が出力される２画面モードＭ４３，Ｍ４２において左画面プラスボタンＢＬが押下されると、画面モードが２画面モードＭ２２，Ｍ２１にそれぞれ移行する。それにより、左画面Ｌが拡大するとともに左画面Ｌに対応する音声がスピーカ１０６から出力される。
【０２０１】
本実施の形態においても、消音ボタンＭＢにより音声選択部１０５がミュート状態に設定されている場合には、右画面Ｒまたは左画面Ｌに対応する音声が音量０で出力される。すなわち、右画面Ｒまたは左画面Ｌに対応する音声信号が選択状態になるが、スピーカ１０６から音声は出力されない。
【０２０２】
第２の実施の形態における他の画面表示および音声出力の切り換えは、第１の実施の形態と同様である。
【０２０３】
１画面モードＭ１において右画面プラスボタンＢＲが押下されると、画面モードが２画面モードＭ３１に移行する。それにより、右画面Ｒが追加されるとともに右画面Ｒに対応する音声が出力される。また、１画面モードＭ２において左画面プラスボタンＢＬが押下されると、画面モードが２画面モードＭ２３に移行する。それにより、左画面Ｌが追加されるとともに左画面Ｌに対応する音声が出力される。
【０２０４】
このように、第２の実施の形態では、右画面プラスボタンＢＲの押下により右画面Ｒが拡大する場合には右画面Ｒに対応する音声が出力され、左画面プラスボタンＢＬの押下により左画面Ｌが拡大する場合には左画面Ｌに対応する音声が出力される。
【０２０５】
（２−２）表示制御処理
図８は本発明の第２の実施の形態における画面遷移制御部１０８の表示制御処理を示すフローチャート図である。
【０２０６】
本実施の形態における表示制御処理では、図５のステップＳ８の後にステップＳ１０ａが追加されている。
【０２０７】
ステップＳ４において操作された画面操作ボタンとフォーカスを有する画面とが同じ側にあり、ステップＳ６においてフォーカスを有する画面が最大サイズよりも小さい場合には、画面遷移制御部１０８はステップＳ８においてフォーカスを有する画面を１段階拡大する。
【０２０８】
さらに、画面遷移制御部１０８は、フォーカスを有する画面に対応する音声をスピーカ１０６から出力させる（ステップＳ１０ａ）。それにより、拡大された画面に対応する音声が出力される。
【０２０９】
具体的には、ユーザが右画面プラスボタンＢＲを操作しかつ右画面Ｒにフォーカスが存在する場合には、画面遷移制御部１０８の指示に基づいて、映像合成部１０３が右画面Ｒを１段階拡大し、左画面Ｌを１段階縮小する。さらに、画面遷移制御部１０８の指示に基づいて、音声選択部１０５が右画面Ｒに対応する音声をスピーカ１０６から出力させる。
【０２１０】
逆に、ユーザが左画面プラスボタンＢＬを操作しかつ左画面Ｌにフォーカスが存在する場合には、画面遷移制御部１０８の指示に基づいて、映像合成部１０３が左画面Ｌを１段階拡大し、右画面Ｒを１段階縮小する。さらに、画面遷移制御部１０８の指示に基づいて、音声選択部１０５が左画面Ｌに対応する音声をスピーカ１０６から出力させる。
【０２１１】
ユーザが音量プラスボタンＳＰを操作した場合の処理は、第１の実施の形態と同様にステップＳ９，Ｓ１０により実現される。
【０２１２】
ステップＳ９においてユーザにより音量プラスボタンＳＰが操作された場合には、ステップＳ１０において、画面遷移制御部１０８はフォーカスを有する画面に対応する音声をスピーカ１０６から出力させる。したがって、画面のサイズを変化させることなく、音量プラスボタンＳＰを操作することにより音声出力を切り換えることができる。
【０２１３】
このように、２種類の方法で音声出力を切り換えることができるので、便利性が向上する。
【０２１４】
（２−３）第２の実施の形態の効果
上記のように、本実施の形態においては、ユーザが右画面プラスボタンＢＲを押下することにより右画面Ｒを拡大させる場合に右画面Ｒに対応する音声が出力され、ユーザが左画面プラスボタンＢＬを押下することにより左画面Ｌを拡大させる場合に左画面Ｌに対応する音声が出力される。通常、ユーザは拡大される画面に注目する。したがって、注目する画面に対応する音声が出力されることにより、ユーザは違和感なく自然に２画面モードでの視聴を行うことができる。
【０２１５】
また、ユーザが音量プラスボタンＳＰを押下するという慣れた操作を行うことにより、フォーカスを有する画面に対応する音声が出力される。また、フォーカスを有しない画面に対応する音声が出力されている場合に、ユーザが音量プラスボタンＳＰを押下することにより、フォーカスを有する画面に対応する音声が出力される。したがって、ユーザは、音声出力の切り換えの操作を短期で習熟することができる。
【０２１６】
さらに、第１の実施の形態と同様に、１画面モードと２画面モードとの切り換え、右画面Ｒおよび左画面Ｌのサイズの変更およびフォーカスの移動を右画面プラスボタンＢＲおよび左画面プラスボタンＢＬにより行うことができる。したがって、操作方法が容易であり、操作を短期で習熟することができる。
【０２１７】
また、右画面Ｒおよび左画面Ｌの操作方法および表示の変化が互いに対称であるので、ユーザにとってわかりやすい。しかも、２画面モードにおいて右ボタンＡＲ、左ボタンＡＬおよび画面モードボタンＰＢを用いる種々の操作が制限されない。
【０２１８】
さらに、リモコン１０７ａに右画面プラスボタンＢＲおよび左画面プラスボタンＢＬが追加されるだけで２画面モードでの表示の制御を行うことができ、既存の音量プラスボタンＳＰにより２画面モードでの音声出力の切り換えを行うことができる。したがって、設計者はさらに他の機能を操作するためのボタンを容易にリモコン１０７ａに追加することができる。
【０２１９】
（３）第３の実施の形態
以下、本発明の第３の実施の形態に係る表示制御装置について説明する。本実施の形態に係る映像表示装置の構成は、図１に示した映像表示装置１００の構成と同様である。また、入力部１０７のリモコン１０７ａの構成は図２に示したリモコン１０７ａの構成と同様である。
【０２２０】
（３−１）画面モードの説明
第３の実施の形態では、音声出力の切り換え方法が第１および第２の実施の形態と異なる。第３の実施の形態では、音声出力の切り換えに音量プラスボタンＳＰは用いられず、右画面プラスボタンＢＲまたは左画面プラスボタンＢＬが押下されたときにそれぞれ右画面Ｒまたは左画面Ｌに対応する音声が出力される。
【０２２１】
図９は本発明の第３の実施の形態における画面の表示および音声の出力の状態遷移図である。
【０２２２】
左画面Ｌに対応する音声が出力される２画面モードＭ２１〜Ｍ２３において右画面プラスボタンＢＲが押下されると、画面モードが２画面モードＭ３１〜Ｍ３３にそれぞれ移行する。それにより、右画面Ｒにフォースが移動するとともに右画面Ｒに対応する音声がスピーカ１０６から出力される。
【０２２３】
また、右画面Ｒに対応する音声が出力される２画面モードＭ３１〜Ｍ３３において左画面プラスボタンＢＬが押下されると、画面モードが２画面モードＭ２１〜Ｍ２３にそれぞれ移行する。それにより、左画面Ｌにフォーカスが移動するとともに左画面Ｌに対応する音声がスピーカ１０６から出力される。
【０２２４】
本実施の形態においても、消音ボタンＭＢにより音声選択部１０５がミュート状態に設定されている場合には、右画面Ｒまたは左画面Ｌに対応する音声が音量０で出力される。すなわち、右画面Ｒまたは左画面Ｌに対応する音声信号が選択状態になるが、スピーカ１０６から音声は出力されない。
【０２２５】
第３の実施の形態では、第２の実施の形態における２画面モードＭ１１〜Ｍ１３，Ｍ４１〜Ｍ４３は存在しない。
【０２２６】
このように、第３の実施の形態では、右画面プラスボタンＢＲの押下によりフォーカスが右画面Ｒに設定されるとともに右画面Ｒに対応する音声が出力され、左画面プラスボタンＢＬの押下により左画面Ｌにフォーカスが設定されるとともに左画面Ｌに対応する音声が出力される。
【０２２７】
（３−２）表示制御処理
図１０は本発明の第３の実施の形態における画面遷移制御部１０８の表示制御処理を示すフローチャート図である。
【０２２８】
本実施の形態における表示制御処理では、図５のステップＳ５の後にステップＳ１０が設けられる。また、図５のステップＳ９は設けられない。
【０２２９】
ステップＳ５において操作された画面操作ボタンとフォーカスを有する画面とが反対側にある場合には、ステップＳ５において画面遷移制御部１０８は操作された画面操作ボタンと同じ側の画面にフォーカスを移動させる。また、画面遷移制御部１０８は、フォーカスを有する画面に対応する音声をスピーカ１０６から出力させる（ステップＳ１０）。それにより、フォーカスを有する画面に対応する音声が出力される。
【０２３０】
具体的には、ユーザが右画面プラスボタンＢＲを操作しかつ左画面Ｌにフォーカスが存在する場合には、画面遷移制御部１０８の指示に基づいて、映像合成部１０３が右画面Ｒにフォーカスを移動させる。また、画面遷移制御部１０８の指示に基づいて、音声選択部１０５が右画面Ｒに対応する音声をスピーカ１０６から出力させる。
【０２３１】
逆に、ユーザが左画面プラスボタンＢＬを操作しかつ右画面Ｒにフォーカスが存在する場合には、画面遷移制御部１０８の指示に基づいて、映像合成部１０３がフォーカスを左画面Ｌに移動させる。また、画面遷移制御部１０８の指示に基づいて、音声選択部１０５が左画面Ｌに対応する音声をスピーカ１０６から出力させる。
【０２３２】
ステップＳ２ａにおいてユーザにより画面操作ボタンが操作されていない場合には、画面遷移制御部１０８はステップＳ１ａの処理に戻る。
【０２３３】
したがって、音量プラスボタンＳＰは、音声出力を切り換えるためには用いられず、音量を増加させるためにのみ用いられる。
【０２３４】
（３−３）第３の実施の形態の効果
上記のように、本実施の形態では、ユーザが右画面プラスボタンＢＲを押下することにより右画面Ｒにフォーカスが設定されるとともに右画面Ｒに対応する音声が出力され、ユーザが左画面プラスボタンＢＬを押下することにより左画面Ｌにフォーカスが設定されるとともに左画面Ｌに対応する音声が出力される。通常、ユーザは操作可能な画面に注目する。したがって、注目する画面に対応する音声が出力されることにより、ユーザは違和感なく自然に２画面モードでの視聴を行うことができる。
【０２３５】
また、本実施の形態においても、ユーザが右画面プラスボタンＢＲを押下することにより右画面Ｒを拡大させる場合に右画面Ｒに対応する音声が出力され、ユーザが左画面プラスボタンＢＬを押下することにより左画面Ｌを拡大させる場合に左画面Ｌに対応する音声が出力される。通常、ユーザは拡大される画面に注目する。したがって、注目する画面に対応する音声が出力されることにより、ユーザは違和感なく自然に２画面モードでの視聴を行うことができる。
【０２３６】
さらに、ユーザは右画面プラスボタンＢＲおよび左画面プラスボタンＢＬを操作することにより１画面モードと２画面モードとの切り換え、２画面モードでの画面のサイズの変更、フォーカスの移動および音声出力の切り換えを行うことができる。したがって、操作方法が容易であり、操作を短時間で習熟することができる。
【０２３７】
また、第１の実施の形態と同様に、右画面Ｒおよび左画面Ｌの操作方法および表示の変化が互いに対称であるので、ユーザにとってわかりやすい。しかも、２画面モードにおいて右ボタンＡＲ、左ボタンＡＬおよび画面モードボタンＰＢを用いる種々の操作が制限されない。
【０２３８】
さらに、リモコン１０７ａに右画面プラスボタンＢＲおよび左画面プラスボタンＢＬが追加されるだけで２画面モードでの表示の制御および２画面モードでの音声出力の切り換えを行うことができる。したがって、設計者はさらに他の機能を操作するためのボタンを容易にリモコン１０７ａに追加することができる。
【０２３９】
（４）第４の実施の形態
以下、本発明の第４の実施の形態に係る映像表示装置について説明する。本実施の形態に係る映像表示装置の構成は、図１に示した映像表示装置１００の構成と同様である。また、入力部１０７のリモコン１０７ａの構成は図２に示したリモコン１０７ａの構成と同様である。
【０２４０】
（４−１）画面モードの説明
第４の実施の形態においても、第３の実施の形態と同様に、音声出力の切り換えに音量プラスボタンＳＰは用いられず、右画面プラスボタンＢＲまたは左画面プラスボタンＢＬが用いられる。ただし、第４の実施の形態では、音声出力の切り換えおよびフォーカスの移動のタイミングが第３の実施の形態と異なる。
【０２４１】
図１１は本発明の第４の実施の形態における画面の表示および音声の出力の状態遷移図である。
【０２４２】
左画面Ｌに対応する音声が出力される２画面モードＭ２１〜Ｍ２３において右画面プラスボタンＢＲが押下されると、画面モードが２画面モードＭ５１〜Ｍ５３にそれぞれ移行する。それにより、右画面Ｒにフォースが移動する。この場合、左画面Ｌに対応する音声が出力されている。さらに、右画面プラスボタンＢＲが押下されると、画面モードが２画面モードＭ３１〜Ｍ３３にそれぞれ移行する。それにより、右画面Ｒに対応する音声がスピーカ１０６から出力される。
【０２４３】
１画面モードＭ１において右画面プラスボタンＢＲが押下された場合にも、画面モードが２画面モードＭ５１に移行する。それにより、右画面Ｒにフォースが移動する。
【０２４４】
また、右画面Ｒに対応する音声が出力される２画面モードＭ３１〜Ｍ３３において左画面プラスボタンＢＬが押下されると、画面モードが２画面モードＭ６１〜Ｍ６３にそれぞれ移行する。それにより、左画面Ｌにフォースが移動する。この場合、右画面Ｒに対応する音声が出力されている。さらに、左画面プラスボタンＢＬが押下されると、画面モードが２画面モードＭ２１〜Ｍ２３にそれぞれ移行する。それにより、左画面Ｌに対応する音声がスピーカ１０６から出力される。
【０２４５】
１画面モードＭ２において左画面プラスボタンＢＬが押下された場合にも、画面モードが２画面モードＭ６３に移行する。それにより、左画面Ｌにフォースが移動する。
【０２４６】
本実施の形態においても、消音ボタンＭＢにより音声選択部１０５がミュート状態に設定されている場合には、右画面Ｒまたは左画面Ｌに対応する音声が音量０で出力される。すなわち、右画面Ｒまたは左画面Ｌに対応する音声信号が選択状態になるが、スピーカ１０６から音声は出力されない。
【０２４７】
このように、第４の実施の形態では、右画面プラスボタンＢＲの押下によりフォーカスが右画面Ｒに設定された後、右画面プラスボタンＢＲの再度の押下により右画面Ｒに対応する音声が出力され、左画面プラスボタンＢＬの押下により左画面Ｌにフォーカスが設定され、左画面プラスボタンＢＬの再度の押下により左画面Ｌに対応する音声が出力される。
【０２４８】
（４−２）表示制御処理
図１２は本発明の第４の実施の形態における画面遷移制御部１０８の表示制御処理を示すフローチャート図である。
【０２４９】
本実施の形態における表示制御処理では、図１０のステップＳ４とステップＳ６との間にステップＳ２０が設けられ、図１０のステップＳ８の後にステップＳ１０ａが設けられる。ステップＳ５の後にステップＳ１０は設けられず、ステップＳ２０の後にステップＳ１０が設けられる。
【０２５０】
ステップＳ４において操作された画面操作ボタンとフォーカスを有する画面とが反対側にある場合には、画面遷移制御部１０８は、操作された画面操作ボタンと同じ側の画面にフォーカスを移動させる（ステップＳ５）。
【０２５１】
ステップＳ４において操作された画面操作ボタンとフォーカスを有する画面とが同じ側にある場合には、画面遷移制御部１０８は、フォーカスを有する画面と出力されている音声に対応する画面（音声出力画面）とが一致しているか否かを判別する（ステップＳ２０）。
【０２５２】
フォーカスを有する画面と出力されている音声に対応する画面（音声出力画面）とが一致していない場合に、画面遷移制御部１０８は、フォーカスを有する画面に対応する音声をスピーカ１０６から出力させる（ステップＳ１０）。
【０２５３】
ステップＳ２０においてフォーカスを有する画面と出力されている音声に対応する画面（音声出力画面）とが一致している場合には、画面遷移制御部１０８は、フォーカスを有する画面が最大サイズを有するか否かを判別する（ステップＳ６）。
【０２５４】
フォーカスを有する画面が最大サイズを有する場合には、画面遷移制御部１０８は、画面モードを１画面モードに移行させる（ステップＳ７）。
【０２５５】
ステップＳ６においてフォーカスを有する画面が最大サイズよりも小さい場合には、画面遷移制御部１０８は、フォーカスを有する画面を１段階拡大する（ステップＳ８）。同時に、画面遷移制御部１０８は、フォーカスを有しない画面を１段階縮小する。
【０２５６】
さらに、画面遷移制御部１０８は、フォーカスを有する画面に対応する音声をスピーカ１０６から出力させる（ステップＳ１０ａ）。それにより、拡大された画面に対応する音声が出力される。
【０２５７】
ステップＳ２ａにおいてユーザにより画面操作ボタンが操作されていない場合には、画面遷移制御部１０８はステップＳ１ａの処理に戻る。
【０２５８】
したがって、音量プラスボタンＳＰは、音声出力を切り換えるためには用いられず、音量を増加させるためにのみ用いられる。
【０２５９】
（４−３）第４の実施の形態の効果
上記のように、本実施の形態では、ユーザが右画面プラスボタンＢＲを押下することにより右画面Ｒにフォーカスが設定され、ユーザが再度右画面プラスボタンＢＲを押下することにより右画面Ｒに対応する音声が出力される。また、ユーザが左画面プラスボタンＢＬを押下することにより左画面Ｌにフォーカスが設定され、ユーザが再度左画面プラスボタンＢＬを押下することにより左画面Ｌに対応する音声が出力される。したがって、ユーザは音声出力の切り換えとは独立にフォーカスの移動を行うことができる。
【０２６０】
また、ユーザが右画面プラスボタンＢＲを２回押下することによりフォーカスを有する画面に対応する音声を出力させることができる。通常、ユーザは操作可能な画面に注目する。したがって、注目する画面に対応する音声が出力されることにより、ユーザに違和感なく自然に２画面モードでの視聴を行うことができる。
【０２６１】
また、本実施の形態においても、ユーザが右画面プラスボタンＢＲを押下することにより右画面Ｒを拡大させる場合に右画面Ｒに対応する音声が出力され、ユーザが左画面プラスボタンＢＬを押下することにより左画面Ｌを拡大させる場合に左画面Ｌに対応する音声が出力される。通常、ユーザは拡大される画面に注目する。したがって、注目する画面に対応する音声が出力されることにより、ユーザに違和感なく自然に２画面モードでの視聴を行うことができる。
【０２６２】
さらに、ユーザは右画面プラスボタンＢＲおよび左画面プラスボタンＢＬを操作することにより、１画面モードと２画面モードとの切り換え、２画面モードでの画面のサイズの変更、フォーカスの移動および音声出力の切り換えを行うことができる。したがって、操作方法が容易であり、操作を短時間で習熟することができる。
【０２６３】
また、第１の実施の形態と同様に、右画面Ｒおよび左画面Ｌの操作方法および表示の変化が互いに対称であるので、ユーザにとってわかりやすい。しかも、２画面モードにおいて右ボタンＡＲ、左ボタンＡＬおよび画面モードボタンＰＢを用いる種々の操作が制限されない。
【０２６４】
さらに、リモコン１０７ａに右画面プラスボタンＢＲおよび左画面プラスボタンＢＬが追加されるだけで２画面モードでの表示の制御および２画面モードでの音声出力の切り換えを行うことができる。したがって、設計者はさらに他の機能を操作するためのボタンを容易にリモコン１０７ａに追加することができる。
【０２６５】
（５）第５の実施の形態
以下、本発明の第５の実施の形態に係る映像表示装置について説明する。本実施の形態に係る映像表示装置の構成は、図１に示した映像表示装置１００の構成と同様である。
【０２６６】
（５−１）リモコンの一例
図１３は第５の実施の形態に係る映像表示装置の入力部１０７に含まれるリモコンの一例を示す模式図である。
【０２６７】
図１３のリモコン１０７ｂが図２のリモコン１０７ａと異なるのは、２画面ボタンＢＤがさらに設けられる点である。
【０２６８】
２画面ボタンＢＤは、１画面モードと２画面モードとをトグルで切り換えるためにユーザにより操作される。
【０２６９】
なお、図１３の右画面プラスボタンＢＲおよび左画面プラスボタンＢＬの代わりに図３（ａ），（ｂ），（ｃ）の右画面プラスボタンＢＲおよび左画面プラスボタンＢＬが設けられてもよい。
【０２７０】
（５−２）画面モードの説明
第５の実施の形態の２画面モードにおける画面の遷移は第１の実施の形態と同様であるが、１画面モードと２画面モードとの切り換え方法が第１の実施の形態と異なる。第５の実施の形態では、２画面ボタンＢＤにより１画面モードと２画面モードとの切り換えが行われる。
【０２７１】
図１４は本発明の第５の実施の形態における画面の表示および音声の出力の状態遷移図である。
【０２７２】
１画面モードＭ０では、全画面Ｓが表示される。１画面モードＭ１で２画面ボタンＢＤが押下されると、画面モードが２画面モードＭ２２に移行する。２画面モードＭ２２においては、右画面Ｒおよび左画面Ｌが同じサイズを有し、左画面Ｌがフォーカスを有しかつ左画面Ｌに対応する音声が出力される。
【０２７３】
逆に、２画面モードＭ１１〜Ｍ１３，Ｍ２１〜Ｍ２３，Ｍ３１〜Ｍ３３，Ｍ４１〜Ｍ４３で２画面ボタンＢＤが押下されると、画面モードが１画面モードＭ０に移行する。
【０２７４】
このように、２画面ボタンＢＤが押下されることにより１画面モードＭ０と２画面モードとがトグルで切り換えられる。
【０２７５】
なお、１画面モードＭ１での２画面ボタンＢＤの押下により画面モードが２画面モードＭ３２に移行してもよい。２画面モードＭ３２においては、右画面Ｒおよび左画面Ｌが同じサイズを有し、右画面Ｒがフォーカスを有しかつ右画面Ｒに対応する音声が出力される。また、２画面ボタンＢＤの押下により画面モードが他の２画面モードに固定的に移行するように設定されてもよい。さらに、１画面モードＭ０に移行する直前の２画面モードを画面遷移制御部１０８が記憶し、２画面ボタンＢＤの押下により画面モードが記憶した２画面モードに移行してもよい。
【０２７６】
２画面モードＭ１１〜Ｍ１３，Ｍ２１〜Ｍ２３，Ｍ３１〜Ｍ３３，Ｍ４１〜Ｍ４３間での状態の遷移は、第１の実施の形態と同様である。
【０２７７】
ただし、本実施の形態においては、右画面Ｒが最大サイズを有する２画面モードＭ１３，Ｍ３３で右画面プラスボタンＢＲが押下された場合に１画面モードＭ０に移行しない。同様に、左画面Ｌが最大サイズを有する２画面モードＭ２１，Ｍ４２で左画面プラスボタンＢＬが押下された場合に１画面モードＭ０に移行しない。
【０２７８】
また、音量プラスボタンＳＰが押下されると、フォーカスを有する画面に対応する音声が出力される。音量プラスボタンＳＰが押下されない限り、音声出力は切り換えられない。このように、右画面Ｒおよび左画面Ｌのサイズの変更の操作と音声出力の切り替えの操作とは完全に独立している。
【０２７９】
（５−３）表示制御処理
図１５は本発明の第５の実施の形態における画面遷移制御部１０８の表示制御処理を示すフローチャート図である。
【０２８０】
ステップＳ１，Ｓ３１は１画面モードでの処理であり、ステップＳ３３，Ｓ１ａ，Ｓ３１ａ，Ｓ３４は２画面モードでの処理であり、ステップＳ３２，Ｓ７は１画面モードと２画面モードとの間で遷移する過渡的状態の処理である。
【０２８１】
初期状態では、画面モードは１画面モードに設定されている。ユーザが入力部１０７を操作すると、画面遷移制御部１０８は、入力部１０７からユーザの操作の内容を示す操作情報（操作入力）を受け取る（ステップＳ１）。
【０２８２】
画面遷移制御部１０８は、操作情報に基づいてユーザにより２画面ボタンＢＤが操作されたか否かを判別する（ステップＳ３１）。
【０２８３】
ユーザにより２画面ボタンＢＤが操作された場合には、画面遷移制御部１０８は、画面モードを２画面モードＭ２２に移行させ（ステップＳ３２）、フォーカスを左画面Ｌに移動させる（ステップＳ３３）。
【０２８４】
この場合、画面遷移制御部１０８は、２画面ボタンＢＤの押下により画面モードを他の２画面モードに固定的に移行させてもよい。また、画面遷移制御部１０８は、２画面ボタンＢＤの押下により画面モードを１画面モードＭ０への移行直前の２画面モードに移行させてもよい。
【０２８５】
ステップＳ３１においてユーザにより２画面ボタンＢＤが操作されない場合には、画面遷移制御部１０８は、他の処理を行った後、ステップＳ１の処理に戻る。
【０２８６】
次に、ユーザが入力部１０７を操作すると、画面遷移制御部１０８は、入力部１０７からユーザの操作の内容を示す操作情報（操作入力）を受け取る（ステップＳ１ａ）。
【０２８７】
画面遷移制御部１０８は、操作情報に基づいてユーザにより２画面ボタンＢＤが操作されたか否かを判別する（ステップＳ３１ａ）。
【０２８８】
ユーザにより２画面ボタンＢＤが操作された場合には、画面遷移制御部１０８は、画面モードを１画面モードＭ０に移行させる（ステップＳ７）。その後、画面遷移制御部１０８はステップＳ１の処理に戻る。
【０２８９】
ステップＳ３１ａにおいてユーザにより２画面ボタンＢＤが操作されない場合には、画面遷移制御部１０８は、後述する２画面モード時の処理を実行する（ステップＳ３４）。その後、画面遷移制御部１０８はステップＳ１ａの処理に戻る。
【０２９０】
図１６は本発明の第５の実施の形態における表示制御処理の２画面モード時の処理を示すフローチャートである。
【０２９１】
図１６の２画面モード時の処理では、第１の実施の形態における２画面モードのステップＳ２ａ，Ｓ４〜Ｓ１０からステップＳ７が削除されている。それにより、ユーザが画面操作ボタン（右画面プラスボタンＢＲおよび左画面プラスボタンＢＬ）を押下しても１画面モードに移行することができない。
【０２９２】
（５−４）第５の実施の形態の効果
上記のように、本実施の形態では、ユーザは２画面ボタンＢＤを押下することにより１画面モードと２画面モードとの切り換えを行うことができる。この場合、ユーザは、１画面モードと２画面モードとの切り換えのために操作すべきボタンを明確に認識することができるので、簡単かつ安心して１画面モードと２画面モードとの切り換えの操作を行うことができる。
【０２９３】
また、２画面モードにおいて右画面プラスボタンＢＲまたは左画面プラスボタンＢＬを複数回続けて押下しても、画面モードが１画面モードに戻ることがない。したがって、右画面Ｒまたは左画面Ｌのサイズを容易に最大にすることができる。
【０２９４】
また、音声出力の切り換えは音量プラスボタンＳＰを用いて行われるので、２画面モードにおいて右画面Ｒまたは左画面Ｌのサイズを変更する操作を行った場合に、スピーカ１０６から出力される音声が意図せずに切り換わることが防止される。
【０２９５】
さらに、ユーザが音量プラスボタンＳＰを押下するという慣れた操作を行うことにより、フォーカスを有する画面に対応する音声が出力される。また、フォーカスを有しない画面に対応する音声が出力されている場合に、ユーザが音量プラスボタンＳＰを押下することにより、フォーカスを有する画面に対応する音声が出力される。したがって、ユーザは、音声出力の切り換えの操作を短期で習熟することができる。
【０２９６】
さらに、１画面モードと２画面モードとの切り換え、右画面Ｒおよび左画面Ｌサイズの変更およびフォーカスの移動を画面モードボタンＰＢ、右画面プラスボタンＢＲおよび左画面プラスボタンＢＬにより行うことができる。したがって、操作方法が容易であり、操作を短期で習熟することができる。
【０２９７】
また、第１の実施の形態と同様に、右画面Ｒおよび左画面Ｌの操作方法および表示の変化が互いに対称であるので、ユーザにとってわかりやすい。しかも、２画面モードにおいて右ボタンＡＲ、左ボタンＡＬおよび画面モードボタンＰＢを用いる種々の操作が制限されない。
【０２９８】
さらに、リモコン１０７ｂに２画面ボタンＢＤ、右画面プラスボタンＢＲおよび左画面プラスボタンＢＬが追加されるだけで１画面モードと２画面モードとの切り換えおよび２画面モードでの表示の制御を行うことができ、既存の音量プラスボタンＳＰにより２画面モードでの音声出力の切り換えを行うことができる。したがって、設計者はさらに他の機能を操作するためのボタンを容易にリモコン１０７ｂに追加することができる。
【０２９９】
（６）請求項の各構成要素と実施の形態の各部との対応
以下、請求項の各構成要素と実施の形態の各部との対応の例について説明するが、本発明は下記の例に限定されない。
【０３００】
上記実施の形態では、映像合成部１０３、音声選択部１０５および画面遷移制御部１０８が制御部の例であり、右画面プラスボタンＢＲが第１の操作入力部の例であり、左画面プラスボタンＢＬが第２の操作入力部の例である。また、音量プラスボタンＳＰが音声操作入力部または音量操作入力部の例であり、右ボタンＡＲ、左ボタンＡＬまたは画面モードボタンＰＢが他の操作入力部の例であり、２画面ボタンＢＤが画面モード操作入力部の例である。さらに、表示部１０４のスクリーンがスクリーンの例であり、スピーカ１０６が音声出力部の例である。また、右画面Ｒまたは左画面Ｌが第１の領域に表示される映像の例であり、左画面Ｌまたは右画面Ｒが第２の領域に表示される映像の例であり、全画面Ｓが単一の領域に表示される映像の例である。さらに、ＣＰＵがコンピュータの例である。
【０３０１】
請求項の各構成要素として、請求項に記載されている構成または機能を有する他の種々の要素を用いることもできる。
【０３０２】
（７）他の実施の形態
上記実施の形態では、画面遷移制御部１０８がＣＰＵおよび表示制御プログラムにより実現されるが、これに限定されず、画面遷移制御部１０８が電子回路等のハードウエアにより実現されてもよい。
【０３０３】
また、映像合成部１０３はＣＰＵおよびプログラムにより実現されてもよく、電子回路等のハードウエアにより実現されてもよい。
【０３０４】
同様に、音声選択部１０５はＣＰＵおよびプログラムにより実現されてもよく、電子回路等のハードウエアにより実現されてもよい。
【産業上の利用可能性】
【０３０５】
本発明は、放送、通信またはパッケージメディア等からの信号に基づいて映像を表示する映像表示装置等において２画面モードで映像を同時に表示する場合に有用である。
【０３０６】
このため、本発明は、テレビ局からの放送を受信するテレビジョン受像機またはセットトップボックスに利用することができ、ハードディスクまたはＤＶＤに映像を録画するビデオレコーダ、パッケージメディアを再生するＤＶＤプレーヤもしくはＡＶ（映像音声）ビューワ、またはインターネット放送局からの放送を受信するブロードバンド・レシーバ等の用途に有用である。
【図面の簡単な説明】
【０３０７】
【図１】図１は本発明の第１の実施の形態に係る映像表示装置の構成を示すブロック図
【図２】図２は図１の入力部に含まれるリモコンの一例を示す模式図
【図３】図３は図１の入力部に含まれるリモコンに設けられる右画面プラスボタンおよび左画面プラスボタンの他の例を示す模式図
【図４】図４は本発明の第１の実施の形態における画面の表示および音声の出力の状態遷移図
【図５】図５は本発明の第１の実施の形態における画面遷移制御部の表示制御処理を示すフローチャート
【図６】図６は画面上の音量表示の例を示す図
【図７】図７は本発明の第２の実施の形態における画面の表示および音声の出力の状態遷移図
【図８】図８は本発明の第２の実施の形態における画面遷移制御部の表示制御処理を示すフローチャート
【図９】図９は本発明の第３の実施の形態における画面の表示および音声の出力の状態遷移図
【図１０】図１０は本発明の第３の実施の形態における画面遷移制御部の表示制御処理を示すフローチャート
【図１１】図１１は本発明の第４の実施の形態における画面の表示および音声の出力の状態遷移図
【図１２】図１２は本発明の第４の実施の形態における画面遷移制御部の表示制御処理を示すフローチャート
【図１３】図１３は第５の実施の形態に係る映像表示装置の入力部に含まれるリモコンの一例を示す模式図
【図１４】図１４は本発明の第５の実施の形態における画面の表示および音声の出力の状態遷移図
【図１５】図１５は本発明の第５の実施の形態における画面遷移制御部の表示制御処理を示すフローチャート
【図１６】図１６は本発明の第５の実施の形態における表示制御処理の２画面モード時の処理を示すフローチャート
【図１７】図１７は従来の２画面表示方法における画面の表示および音声の出力の状態遷移図
【図１】
0004814934.tif 000002
【図２】
0004814934.tif 000003
【図３】
0004814934.tif 000004
【図４】
0004814934.tif 000005
【図５】
0004814934.tif 000006
【図６】
0004814934.tif 000007
【図７】
0004814934.tif 000008
【図８】
0004814934.tif 000009
【図９】
0004814934.tif 000010
【図１０】
0004814934.tif 000011
【図１１】
0004814934.tif 000012
【図１２】
0004814934.tif 000013
【図１３】
0004814934.tif 000014
【図１４】
0004814934.tif 000015
【図１５】
0004814934.tif 000016
【図１６】
0004814934.tif 000017
【図１７】
0004814934.tif 000018